(57)【要約】【課題】設置の際の工事の工数を抑制する。【解決手段】空気を取り入れる流入口（16）と吹出ダクト（2）が接続される流出口（17）とを有し、流入口（16）から流出口（17）に至る空気流路を形成するケーシング（10）と、ケーシング（10）内に配置され、空気流路において流入口（16）から流出口（17）へ空気を送るファンユニット（25）と、空気流路に配置され、空気を通過させる通風部材（20）と、通風部材（20）の前後の差圧を計測する差圧計測器（53）と、差圧計測器（53）の計測値に基づいてファンユニット（25）の回転速度を調節する制御器（50）とを設ける。【選択図】図２
2020046135.tif 000002
【特許請求の範囲】
【請求項１】
空調対象空間（7a,7b）に形成された複数の吹出口（9a〜9h）に対してダクト（2）によって接続され、上記吹出口（9a〜9h）に送風する空気調和装置であって、
空気を取り入れる流入口（16）と上記ダクト（2）が接続される流出口（17）とを有し、上記流入口（16）から上記流出口（17）に至る空気流路を形成するケーシング（10）と、
上記ケーシング（10）内に配置され、上記空気流路において上記流入口（16）から上記流出口（17）へ空気を送る送風ファン（25）と、
上記空気流路に配置され、空気を通過させる通風部材（20）と、
上記通風部材（20）の前後の差圧を計測する差圧計測器（53）と、
上記差圧計測器（53）の計測値に基づいて上記送風ファン（25）の回転速度を調節する制御器（50）とを備えることを特徴とする空気調和装置。
【請求項２】
請求項１において、
上記制御器（50）は、上記送風ファン（25）の回転速度を、上記差圧計測器（53）の計測値が設定差圧となるように調整する試運転を行うことを特徴とする空気調和装置。
【請求項３】
請求項２において、
上記差圧計測器（53）の計測値が上記設定差圧になったことを示す条件が成立すると上記試運転が終了し、
上記試運転が終了したことを報知する報知部（57）を備えることを特徴とする空気調和装置。
【請求項４】
請求項１乃至３の何れか１つにおいて、
上記通風部材（20）は、空気を浄化するエアフィルタ（21）であることを特徴とする空気調和装置。
【請求項５】
請求項１乃至３の何れか１つにおいて、
上記通風部材（20）は、空気の温度を調節する熱交換器（22）であることを特徴とする空気調和装置。
【請求項６】
請求項４において、
通常運転時に、上記制御器（50）は、上記差圧計測器（53）の計測値が設定差圧よりも大きいとき、上記送風ファン（25）の回転速度を上げることを特徴とする空気調和装置。
【請求項７】
請求項５において、
上記空気流路に空気を浄化するエアフィルタ（21）を備え、
通常運転時に、上記制御器（50）は、上記差圧計測器（53）の計測値が設定差圧よりも小さいとき、上記送風ファン（25）の回転速度を上げることを特徴とする空気調和装置。
【請求項８】
請求項６又は７において、
上記制御器（50）は、リセット信号を受けると、上記送風ファン（25）の回転速度を上記通常運転が開始したときの回転速度に戻すことを特徴とする空気調和装置。
【請求項９】
請求項１乃至８の何れか１つにおいて、
上記ダクト（2）には、流量調整用の開度可変のダンパ（6a,6b）が配置され、
上記制御器（50）は、上記差圧計測器（53）の計測値が第１所定時間内で第１所定値以上低下したとき、上記送風ファン（25）の回転速度を第１補正速度に引き下げることを特徴とする空気調和装置。
【請求項１０】
請求項９において、
上記制御器（50）は、上記送風ファン（25）が上記第１補正速度で回転し且つ上記差圧計測器（53）の計測値が第２所定時間内で第２所定値以上上昇したとき、上記送風ファン（25）の回転速度を上げることを特徴とする空気調和装置。
【請求項１１】
請求項１乃至１０の何れか１つにおいて、
上記ダクト（2）には、流量調整用の開度可変のダンパ（8a〜8h）が配置され、
上記制御器（50）は、上記差圧計測器（53）の計測値が第３所定時間内で第３所定値以上上昇したとき、上記送風ファン（25）の回転速度を下げることを特徴とする空気調和装置。
【請求項１２】
請求項１乃至１１の何れか１つにおいて、
上記ダクト（2）には、流量調整用の開度可変のダンパ（8a〜8h）が配置され、
上記制御器（50）は、上記差圧計測器（53）の計測値が第４所定時間内で第４所定値以上低下したとき、上記送風ファン（25）の回転速度を上げることを特徴とする空気調和装置。
【請求項１３】
請求項１乃至１２の何れか１つにおいて、
上記空気流路に設けられて空気流の乱れを抑える整流部材（42a,42b）を備えることを特徴とする空気調和装置。
【請求項１４】
請求項１乃至１３の何れか１つにおいて、
上記差圧計測器（53）の計測値から換算した風量を表示する表示部（57）を備えることを特徴とする空気調和装置。
【請求項１５】
空気の流入口（16）と流出口（17）とが形成されたケーシング（10）と、上記ケーシング（10）の内部に配置され、上記流入口（16）から上記流出口（17）に至る空気流路において上記流入口（16）から上記流出口（17）へ空気を送る送風ファン（25）とを備える空気調和装置（1）の送風ファンの回転速度調整方法であって、
上記空気流路に配置された通風部材（20）の前後の差圧に基づいて上記送風ファン（25）の回転速度を調整する回転速度調整工程を備えることを特徴とする送風ファンの回転速度調整方法。
【請求項１６】
請求項１５において、
上記回転速度調整工程では、上記空気流路に設けられて空気を浄化するエアフィルタ（21）を通風部材（20）として用いることを特徴とする送風ファンの回転速度調整方法。
【請求項１７】
請求項１５において、
上記回転速度調整工程では、上記空気流路に設けられて空気の温度を調節する熱交換器（22）を通風部材（20）として用いることを特徴とする送風ファンの回転速度調整方法。
【請求項１８】
請求項１５において、
上記回転速度調整工程の前に上記空気流路に上記通風部材（20）を設置する通風部材設置工程と、
上記回転速度調整工程の後に上記通風部材（20）を取り外す通風部材取り外し工程とを備えることを特徴とする送風ファンの回転速度調整方法。
【発明の詳細な説明】
【技術分野】
【０００１】
本開示は、空気調和装置および送風ファンの回転速度調整方法に関するものである。
【背景技術】
【０００２】
特許文献１には、ダクト内を流れる空気の流れ方向に傾斜して固定されたブレードを有するガラリの前後の差圧を計測する差圧計測部と、差圧計側部によって計測された差圧よりガラリを通過する空気の実流量を求める実風量計測部とを備える空気調和システムが開示されている。
【先行技術文献】
【特許文献】
【０００３】
【特許文献１】特開２００４−１９８２７１号公報
【発明の概要】
【発明が解決しようとする課題】
【０００４】
特許文献１に開示された空気調和システムにおいて、差圧計測部は、空調機の外部に配置されている。このため、差圧計測部と空調機とを接続するための配線工事が必要となってしまう。
【０００５】
本開示の目的は、空気調和装置において設置の際の工事の工数を抑制することにある。
【課題を解決するための手段】
【０００６】
本開示の第１の態様は空調対象空間（7a,7b）に形成された複数の吹出口（9a〜9h）に対してダクト（2）によって接続され、上記吹出口（9a〜9h）に送風する空気調和装置（1）であって、空気を取り入れる流入口（16）と上記ダクト（2）が接続される流出口（17）とを有し、上記流入口（16）から上記流出口（17）に至る空気流路を形成するケーシング（10）と、上記ケーシング（10）内に配置され、上記空気流路において上記流入口（16）から上記流出口（17）へ空気を送る送風ファン（25）と、上記空気流路に配置され、空気を通過させる通風部材（20）と、上記通風部材（20）の前後の差圧を計測する差圧計測器（53）と、上記差圧計測器（53）の計測値に基づいて上記送風ファン（25）の回転速度を調節する制御器（50）とを備えることを特徴とする。
【０００７】
第１の態様では、差圧計測器（53）は、ケーシング（10）内に配置された通風部材（20）の前後の差圧を計測する。このため、空気調和装置（1）の外側で、制御器（50）と差圧計測器（53）とを接続するための工事が不要になる。したがって、空気調和装置（1）の設置の際の工事の工数を抑制することができる。
【０００８】
本開示の第２の態様は、第１の態様において、上記制御器（50）は、上記送風ファン（25）の回転速度を、上記差圧計測器（53）の計測値が設定差圧となるように調整する試運転を行うことを特徴とする。
【０００９】
第２の態様では、試運転で差圧計測器（53）の計測値に基づいて送風ファン（25）の回転速度を調整するので、試運転における風量の調節が容易になる。
【００１０】
本開示の第３の態様は、第２の態様において、上記差圧計測器（53）の計測値が上記設定差圧になったことを示す条件が成立すると上記試運転が終了し、上記試運転が終了したことを報知する報知部（57）を備えることを特徴とする。
【００１１】
第３の態様では、試運転が終了したことを作業者に報知することができる。
【００１２】
本開示の第４の態様は、第１〜第３のいずれか１つの態様において、上記通風部材（20）は、空気を浄化するエアフィルタ（21）であることを特徴とする。
【００１３】
第４の態様では、エアフィルタ（21）は、もともと空気調和装置（1）に設けられている。このため、通風部材（20）を構成するために別途特別な部材を用意する必要がなくなる。
【００１４】
本開示の第５の態様は、第１〜第３のいずれか１つの態様において、上記通風部材（20）は、空気の温度を調節する熱交換器（22）であることを特徴とする。
【００１５】
第５の態様では、熱交換器（22）は、もともと空気調和装置（1）に設けられている。このため、通風部材（20）を構成するために別途特別な部材を用意する必要がなくなる。
【００１６】
本開示の第６の態様は、第４の態様において、通常運転時に、上記制御器（50）は、上記差圧計測器（53）の計測値が設定差圧よりも大きいとき、上記送風ファン（25）の回転速度を上げることを特徴とする。
【００１７】
第６の態様では、例えば、エアフィルタ（21）に異物が付着してエアフィルタ（21）の前後の差圧が大きくなったときに、送風ファン（25）の回転速度を上げることができる。このため、流出口（17）から吹き出る風量が不足することを抑制できる。
【００１８】
本開示の第７の態様は、第５の態様において、上記空気流路に空気を浄化するエアフィルタ（21）を備え、通常運転時に、上記制御器（50）は、上記差圧計測器（53）の計測値が設定差圧よりも小さいとき、上記送風ファン（25）の回転速度を上げることを特徴とする。
【００１９】
第７の態様では、例えば、エアフィルタ（21）に異物が付着して熱交換器（22）に流れる風量が減少したときに、送風ファン（25）の回転速度を上げることができる。このため、流出口（17）から吹き出る風量が不足することを抑制できる。
【００２０】
本開示の第８の態様は、第６又は第７の態様において、上記制御器（50）は、リセット信号を受けると、上記送風ファン（25）の回転速度を上記通常運転が開始したときの回転速度に戻すことを特徴とする。
【００２１】
第８の態様では、作業者がリセット信号を送信することで、回転速度が上げられた送風ファン（25）をもとの回転速度に戻すことができる。
【００２２】
本開示の第９の態様は、第１〜第８のいずれか１つの態様において、上記ダクト（2）には、流量調整用の開度可変のダンパ（6a,6b）が配置され、上記制御器（50）は、上記差圧計測器（53）の計測値が第１所定時間内で第１所定値以上低下したとき、上記送風ファン（25）の回転速度を第１補正速度に引き下げることを特徴とする。
【００２３】
第９の態様では、例えば、少なくとも１つのダンパ（6a,6b）が全閉したとき、短時間で差圧計速器の計測値が低下する。また、開かれたダンパ（6a,6b）に対応するダクト（2）を流れる空気の流量が増える。このため、開かれたダンパ（6a,6b）に対応するダクト（2）に対応する空調対象空間（7a,7b）への送風が過剰になることを抑制できる。
【００２４】
本開示の第１０の態様は、第９の態様において、上記制御器（50）は、上記送風ファン（25）が上記第１補正速度で回転し且つ上記差圧計測器（53）の計測値が第２所定時間内で第２所定値以上上昇したとき、上記送風ファン（25）の回転速度を上げることを特徴とする。
【００２５】
第１０の態様では、送風ファン（25）が第１補正速度で回転しているときに、例えば、全閉されたダンパ（6a）が元の開度に戻されると、短時間で差圧計速器の計測値が上昇する。このため、第１補正速度に引き下げられた送風ファン（25）の回転速度をもとの回転速度に戻すことができる。
【００２６】
本開示の第１１の態様は、第１〜第１０のいずれか１つの態様において、上記ダクト（2）には、流量調整用の開度可変のダンパ（8a〜8h）が配置され、上記制御器（50）は、上記差圧計測器（53）の計測値が第３所定時間内で第３所定値以上上昇したとき、上記送風ファン（25）の回転速度を下げることを特徴とする。
【００２７】
第１１の態様では、例えば、ダンパ（8a〜8h）の開度が上げられると、ダクト（2）内での風の抵抗が短時間で減少する。ダクト（2）内での風の抵抗が減少すると、流出口（17）から吹き出る風量が増加して、差圧計測器（53）での計測値が短時間で上昇する。このため、送風ファン（25）の回転速度を下げて、流出口（17）から吹き出る風量が過剰になることを抑制できる。
【００２８】
本開示の第１２の態様は、第１〜第１１のいずれか１つの態様において、上記ダクト（2）には、流量調整用の開度可変のダンパ（8a〜8h）が配置され、上記制御器（50）は、上記差圧計測器（53）の計測値が第４所定時間内で第４所定値以上低下したとき、上記送風ファン（25）の回転速度を上げることを特徴とする。
【００２９】
第１２の態様では、例えば、ダンパ（8a〜8h）の開度が下げられると、ダクト（2）内での風の抵抗が短時間で増大する。ダクト（2）内での風の抵抗が増加すると、流出口（17）から吹き出る風量が減少して、短時間で差圧計測器（53）での計測値が低下する。このため、送風ファン（25）の回転速度を上げて、流出口（17）から吹き出る風量が不足することを抑制できる。
【００３０】
本開示の第１３の態様は、第１〜第１２のいずれか１つの態様において、上記空気流路に設けられて空気流の乱れを抑える整流部材（42a,42b）を備えることを特徴とする。
【００３１】
第１３の態様では、空気流路を流れる空気流の乱れを抑えて、差圧計測器（53）の計測値の変動を抑制できる。
【００３２】
本開示の第１４の態様は、第１〜第１３のいずれか１つの態様において、上記差圧計測器（53）の計測値から換算した風量を表示する表示部（57）を備えることを特徴とする。
【００３３】
第１４の態様では、作業者が風量を容易に確認できる。
【００３４】
本開示の第１５の態様は、空気の流入口（16）と流出口（17）とが形成されたケーシング（10）と、上記ケーシング（10）の内部に配置され、上記流入口（16）から上記流出口（17）に至る空気流路において上記流入口（16）から上記流出口（17）へ空気を送る送風ファン（25）とを備える空気調和装置の送風ファン（25）の回転速度調整方法であって、上記空気流路に配置された通風部材（20）の前後の差圧に基づいて上記送風ファン（25）の回転速度を調整する回転速度調整工程を備えることを特徴とする。
【００３５】
第１５の態様では、ケーシング（10）内に配置された通風部材（20）の前後の差圧を計測する。このため、空気調和装置（1）の外側で、制御器（50）と差圧計測器（53）とを接続するための工事が不要になる。したがって、空気調和装置（1）の設置の際の工事の工数を抑制することができる。
【００３６】
本開示の第１６の態様は、第１５の態様において、上記回転速度調整工程では、上記空気流路に設けられて空気を浄化するエアフィルタ（21）を通風部材（20）として用いることを特徴とする。
【００３７】
第１６の態様では、空気調和装置（1）のエアフィルタ（21）を通風部材（20）として用いて回転速度調整工程が行われる。エアフィルタ（21）は、もともと空気調和装置（1）に設けられている。このため、通風部材（20）を構成するために別途特別な部材を用意する必要がなくなる。
【００３８】
本開示の第１７の態様は、第１５の態様において、上記回転速度調整工程では、上記空気流路に設けられて空気の温度を調節する熱交換器（22）を通風部材（20）として用いることを特徴とする。
【００３９】
第１７の態様では、空気調和装置（1）の熱交換器（22）を通風部材（20）として用いて回転速度調整工程が行われる。熱交換器（22）は、もともと空気調和装置（1）に設けられている。このため、通風部材（20）を構成するために別途特別な部材を用意する必要がなくなる。
【００４０】
本開示の第１８の態様は、第１５の態様において、上記回転速度調整工程の前に上記空気流路に上記通風部材（20）を設置する通風部材設置工程と、上記回転速度調整工程の後に上記通風部材（20）を取り外す通風部材取り外し工程とを備えることを特徴とする。
【００４１】
第１８の態様では、通風部材（20）が必要な回転速度調整工程において通風部材（20）を設置して、回転速度調整工程の後に通風部材（20）を取り外すことができる。
【図面の簡単な説明】
【００４２】
【図１】図１は、実施形態１の空気調和システムの構成を示す概略図である。
【図２】図２は、実施形態１のエアハンドリングユニットの構成を示す概略断面図である。
【図３】図３は、実施形態１のエアハンドリングユニットにおいて、エアフィルタが汚れた際の挙動を示すグラフである。
【図４】図４は、実施形態１のエアハンドリングユニットにおいて、１つのダンパを全閉した際の挙動を示すグラフである。
【図５】図５は、実施形態１のエアハンドリングユニットにおいて、１つのダンパの開度を広げた際の挙動を示すグラフである。
【図６】図６は、実施形態１のエアハンドリングユニットにおいて、１つのダンパの開度を絞った際の挙動を示すグラフである。
【図７】図７は、実施形態２の図２相当図である。
【図８】図８は、実施形態２の図３相当図である。
【図９】図９は、実施形態３のエアハンドリングユニットの試運転時の構成を示す概略断面図である。
【発明を実施するための形態】
【００４３】
《実施形態１》
実施形態１について説明する。本実施形態のエアハンドリングユニット（1）は、空気の温度調節と加湿とを行うように構成されている。エアハンドリングユニット（1）は、ビルなどの建物に設けられ、空気調和システム（3）の一部を構成している。
【００４４】
−空気調和システムの構成−
図１に示すように、空気調和システム（3）は、エアハンドリングユニット（1）と吹出ダクト（2）と分配調整ダンパ（6a,6b）と風量調整ダンパ（8a〜8h）とを備えている。
【００４５】
エアハンドリングユニット（1）は、空気調和装置を構成している。エアハンドリングユニット（1）は、例えば建物の機械室（4）に配置されている。エアハンドリングユニット（1）は、空調対象空間としての第１居室（7a）及び第２居室（7b）の天井にそれぞれ複数形成された吹出口（9a〜9h）に調和空気を送風する。エアハンドリングユニット（1）の構成については後述する。
【００４６】
ダクトとしての吹出ダクト（2）は、機械室（4）から廊下（5）及び各居室（7a,7b）の天井裏の空間を通って各吹出口（9a〜9h）にまで延びている。吹出ダクト（2）は、エアハンドリングユニット（1）と各吹出口（9a〜9h）とを接続する。吹出ダクト（2）は、機械室（4）で分岐しており、機械室（4）から第１居室（7a）に向かって延びる第１吹出ダクト（2a）と、機械室（4）から第２居室（7b）に向かって延びる第２吹出ダクト（2b）とを備えている。
【００４７】
分配調整ダンパ（6a,6b）は、開度可変の流量調整用のダンパである。分配調整ダンパ（6a,6b）は、第１分配調整ダンパ（6a）と第２分配調整ダンパ（6b）とからなる。第１分配調整ダンパ（6a）は、廊下（5）において第１吹出ダクト（2a）内に配置されている。第２分配調整ダンパ（6b）は、廊下（5）において第２吹出ダクト（2b）内に配置されている。第１分配調整ダンパ（6a）及び第２分配調整ダンパ（6b）の開度を調節することで、エアハンドリングユニット（1）から第１居室（7a）及び第２居室（7b）に供給される空気の割合を調節することができる。
【００４８】
風量調整ダンパ（8a〜8h）は、各居室（7a,7b）において、それぞれの吹出口（9a〜9h）に対応して１つずつ設けられている。各風量調整ダンパ（8a〜8h）の開度を調節すると、その風量調整ダンパ（8a〜8h）に対応する吹出口（9a〜9h）から吹き出される空気の流量が変化する。
【００４９】
−エアハンドリングユニットの構成−
図２に示すように、エアハンドリングユニット（1）は、中空直方体状のケーシング（10）を備えている。ケーシング（10）の内部空間は、第１隔壁板（11）と第２隔壁板（12）とによって、入口室（13）と中間室（14）と出口室（15）とに仕切られている。ケーシング（10）では、その長手方向の一端から他端へ向かって順に、入口室（13）と中間室（14）と出口室（15）とが配置されている。
【００５０】
ケーシング（10）の天板は、入口室（13）に臨む部分に流入口（16）が形成され、出口室（15）に臨む部分に流出口（17）が形成されている。流入口（16）には、吸込ダクト（44）が接続されている。流出口（17）には、吹出ダクト（2）が接続されている。エアハンドリングユニット（1）は、吸込ダクト（44）から流入口（16）を通じてケーシング（10）の内部に空気を取り入れ、流出口（17）から吹出ダクト（2）へ空気を送る。ケーシング（10）は、流入口（16）から入口室（13）、中間室（14）、出口室（15）を順に通り流出口（17）に至る空気流路を形成する。ケーシング（10）の底板（34）は、中間室（14）に臨む部分が下方へ窪んだドレンパン（18）を構成している。
【００５１】
第１隔壁板（11）には、第１開口（11a）が形成されている。入口室（13）は、この第１開口（11a）を介して中間室（14）に連通する。第２隔壁板（12）には、第２開口（12a）が形成されている。中間室（14）は、この第２開口（12a）を介して出口室（15）に連通する。
【００５２】
エアハンドリングユニット（1）は、エアフィルタ（21）と、整流部材（42a,42b）と、熱交換器（22）と、加湿エレメント（23）と、ファンユニット（25）と、差圧計測器（53）と、制御器（50）と、インバータ（55）と、表示器（57）とを備えている。エアフィルタ（21）と入口側整流部材（42a）とは、入口室（13）に配置されている。熱交換器（22）と加湿エレメント（23）とは、中間室（14）に配置されている。中間室（14）において、加湿エレメント（23）は、熱交換器（22）の下流側に配置されている。ファンユニット（25）と出口側整流部材（42b）とは、出口室（15）に配置されている。
【００５３】
エアフィルタ（21）は、空気流路に配置され、空気を通過させる。エアフィルタ（21）は、通風部材（20）を構成する。エアフィルタ（21）は、空気に含まれる塵埃等の異物を捕集して空気を浄化するための部材である。エアフィルタ（21）は、第１開口（11a）を覆うように設けられる。エアフィルタ（21）の上方には、リセットスイッチ（41）が配置されている。リセットスイッチ（41）は、例えばボタンスイッチからなる。作業者は、異物を捕集したエアフィルタ（21）を新しいエアフィルタ（21）に交換したとき、リセットスイッチ（41）を押す。リセットスイッチ（41）が押されると、リセットスイッチ（41）は、制御器（50）にリセット信号を送信する。
【００５４】
入口側整流部材（42a）は、入口室（13）において、流入口（16）の下方且つ空気流路におけるエアフィルタ（21）の上流側に配置されている。入口側整流部材（42a）は、空気流の乱れを抑える。入口側整流部材（42a）は、ケーシング（10）の奥行き方向（図２における紙面に垂直な方向）に互いに所定の間隔をおいて配置された複数の整流板によって構成される。
【００５５】
熱交換器（22）は、空気流路に配置され、空気を通過させる。熱交換器（22）は、いわゆるクロスフィン型のフィンアンドチューブ熱交換器である。この熱交換器（22）は、図外の熱源機器から供給された熱媒水を空気と熱交換させて空気の温度を調節する。熱源機器は、例えば、冷凍サイクルを行って熱媒水を冷却し又は加熱するチラー装置によって構成される。
【００５６】
加湿エレメント（23）は、供給された水を空気と接触させて気化させるための部材である。加湿エレメント（23）は、スポンジ状または不織布状の樹脂からなり、ある程度の量の水を保持でき、且つ空気が通過できるように構成されている。加湿エレメント（23）は、ケーシング（10）の奥行き方向（図２における紙面に垂直な方向）に並んで複数配置されている。
【００５７】
ファンユニット（25）は、送風ファンを構成する。ファンユニット（25）は、羽根車（26）と、羽根車（26）を駆動するＡＣモータからなるファンモータ（27）とを備えている。ファンモータ（27）はインバータ（55）に接続されている。羽根車（26）は、その吸込口が第２開口（12a）を覆うように配置され、吸込口から吸い込んだ空気を周方向へ吹き出す。ファンユニット（25）は、空気流路において流入口（16）から流出口（17）へ空気を送る。
【００５８】
出口側整流部材（42b）は、出口室（15）において、流出口（17）の下方且つ空気流路におけるファンユニット（25）の下流側に配置されている。出口側整流部材（42b）は、空気流の乱れを抑える。出口側整流部材（42b）は、ケーシング（10）の奥行き方向（図２における紙面に垂直な方向）に互いに所定の間隔をおいて配置された複数の整流板によって構成される。
【００５９】
差圧計測器（53）は、エアフィルタ（21）の前後の差圧を計測する。具体的に、差圧計測器（53）は、空気流路におけるエアフィルタ（21）の上流部の静圧と空気流路におけるエアフィルタ（21）の下流部の静圧との差を計測する。差圧計測器（53）は、上流側差圧取出管（54a）と下流側差圧取出管（54b）とを備えている。上流側差圧取出管（54a）は、先端がエアフィルタ（21）の上流側に位置している。下流側差圧取出管（54b）は、先端がエアフィルタ（21）の下流側に位置している。差圧計測器（53）は、制御器（50）と通信可能に構成されている。差圧計測器（53）は、計測値を制御器（50）に送信する。
【００６０】
制御器（50）は、リセットスイッチ（41）、差圧計測器（53）、インバータ（55）、及び表示器（57）と通信可能に構成されている。制御器（50）は、差圧計測器（53）の計測値に基づいてインバータ（55）を介してファンモータ（27）の回転速度を調節する。また、制御器（50）は、後述する試運転が終了したことを判定する。
【００６１】
表示器（57）は、表示部及び報知部を構成する。表示器（57）は、差圧計測器（53）の計測値から換算した風量を表示する。表示器（57）は、制御器（50）から試運転が終了したことを受信する。表示器（57）は、試運転が終了したことを表示して作業者にそのことを報知する。表示器（57）としては、例えばスマートフォン等の端末や制御器（50）に設けられるモニタ等種々の表示装置が挙げられる。
【００６２】
−運転動作−
〈試運転〉
エアハンドリングユニット（1）が機械室（4）に設置された後、流出口（17）から吹き出す空気の流量を調節するための試運転が行われる。試運転では、各吹出口（9a〜9h）の吹出風量がそれぞれの設定値となるように、作業者が分配調整ダンパ（6a,6b）及び風量調整ダンパ（8a〜8h）の開度を調整する。ファンモータ（27）の回転速度が一定の状態で分配調整ダンパ（6a,6b）及び風量調整ダンパ（8a〜8h）の開度を変更すると、吹出ダクト（2）内での風の抵抗が変わり、エアハンドリングユニット（1）の吹出風量が変化し、その結果、通風部材（20）の前後の差圧が変化する。そこで、制御器（50）は、試運転において、通風部材（20）の前後の差圧が所定の目標範囲となるようにファンモータ（27）の回転速度を制御する。
【００６３】
具体的に、試運転では、制御器（50）は、ファンモータ（27）の回転速度を、差圧計測器（53）の計測値が通風部材（20）に応じて予め定められた設定差圧となるようにインバータ（55）を介して調整する。言い換えると、制御器（50）は、通風部材（20）としてのエアフィルタ（21）の前後の差圧に基づいてファンモータ（27）の回転速度を調整する（回転速度調整工程）。差圧計測器（53）の計測値が設定差圧になったことを示す条件（例えば、差圧計測器（53）の計測値が所定の目標範囲に収まること）が成立すると試運転が正常に終了する。また、適したファンユニットが用いられていなかったこと等により、所定時間内に差圧計測器（53）の計測値を設定差圧に調節できなかった場合でも異常が発生しているとして試運転が終了する。制御器（50）は、試運転が終了した旨の信号を表示器（57）に送信して、表示器（57）は試運転が終了したことを表示する。制御器（50）は、試運転で調整されたファンモータ（27）の回転速度を記憶する。
【００６４】
〈通常運転〉
通常運転では、制御器（50）は、ファンモータ（27）が試運転で調整された速度で回転するように、ファンモータ（27）の回転速度を固定して運転させる。
【００６５】
〈エアフィルタ目詰まり時の制御〉
図３は、エアハンドリングユニット（1）において、エアフィルタ（21）が汚れた際の挙動を示すグラフである。図３中の特性曲線Ｄ１は、エアフィルタ（21）が新品であるときの、流出口（17）から吹き出る風量（Q）と差圧計測器（53）の計測値との関係を示す。図３中の特性曲線Ｄ２は、エアフィルタ（21）に異物が付着しているときの流出口（17）から吹き出る風量（Q）と差圧計測器（53）の計測値との関係を示す。図３中の曲線Ｎ１は、試運転で差圧計測器（53）の計測値が設定差圧（図３中の符号Ｐ１）となるように、調整されたファンモータ（27）の回転速度を示す。図３中の曲線Ｎ２は、エアフィルタ（21）に異物が付着しているときに、流出口（17）から吹き出る風量がＱ１になるファンモータ（27）の回転速度を示す。
【００６６】
例えば、試運転が正常に終了した直後の通常運転では、制御器（50）は、差圧計測器（53）の計測値が設定差圧となるように、ファンモータ（27）の回転速度を試運転で調整された図３中の符号Ｎ１として運転する。このとき、流出口（17）から吹き出る風量は、図３中の符号Ｑ１になる。
【００６７】
通常運転の運転時間が経過するにつれて、エアフィルタ（21）に異物が付着する。このため、流出口（17）から吹き出る風量は、図３中の符号Ｑ２に下がる。この結果、差圧計測器（53）の計測値が、設定差圧よりも大きくなり図３中のＰ２になる。すなわち、図中のａ点からｂ点に移行する。制御器（50）は、差圧計測器（53）の計測値（図３中のＰ２）と設定差圧（図３中のＰ１）との差に応じてファンモータ（27）の回転速度を図３中のＮ１からＮ２に引き上げる。このとき、差圧計測器（53）の計測値と設定差圧との差が大きいほどファンモータ（27）の回転速度を上げる。このことにより、風量（Q）と差圧（P）との関係は、図３中のｂ点からｃ点に移行して、流出口（17）から吹き出る風量は、図３中の符号Ｑ１に戻る。そうすることにより、エアフィルタ（21）に異物が付着しても、流出口（17）から吹き出る風量が減少することを抑制できる。
【００６８】
上述したように、作業者は、異物を捕集したエアフィルタ（21）を新しいエアフィルタ（21）に交換したとき、リセットスイッチ（41）を押す。制御器（50）は、上述のリセット信号を受けると、ファンモータ（27）の回転速度を通常運転が開始したときの回転速度（図３中の符号Ｎ１）に戻す。そうすることにより、エアフィルタ（21）を交換した後に、流出口（17）から吹き出る風量が多くなりすぎることを抑制できる。
【００６９】
〈分配調整ダンパ全閉時の制御〉
図４は、エアハンドリングユニット（1）において、分配調整ダンパ（6a,6b）のうち例えば第１分配調整ダンパ（6a）が全閉したときの挙動を示すグラフである。図４中の特性曲線Ｄは、流出口（17）から吹き出る風量（Q）と差圧計測器（53）の計測値との関係を示す。図４中の特性曲線Ｒ１は、第１分配調整ダンパ（6a）及び第２分配調整ダンパ（6b）が開かれた状態で、試運転が正常に終了したときまたはエアフィルタ（21）に異物が付着してファンモータ（27）の回転速度が引き上げられたときの、流出口（17）から吹き出る風量（Q）と空気流路での風の抵抗と吹出ダクト（2）での風の抵抗との合計（全体抵抗）との関係を示す。図４中の特性曲線Ｒ２は、特性曲線Ｒ１の状態から第１分配調整ダンパ（6a）が全閉したときの流出口（17）から吹き出る風量（Q）と全体抵抗との関係を示す。図４中の曲線Ｎ１は、試運転で差圧計測器（53）の計測値が設定差圧（図４中の符号Ｐ１）となるように、調整されたファンモータ（27）の回転速度を示す。図４中の曲線Ｎ２は、第１分配調整ダンパ（6a）が全閉したときに、流出口（17）から吹き出る風量がＱ３になるファンモータ（27）の回転速度を示す。
【００７０】
通常運転時に、制御器（50）は、差圧計測器（53）の計測値が設定差圧（図４中の符号Ｐ１）となるように、ファンモータ（27）の回転速度を、試運転で調整された、またはエアフィルタ（21）に異物が付着して調節された図４中の符号Ｎ１として運転する。このとき、全体抵抗は、図４中の符号ａ’になる。
【００７１】
例えば、第１居室（7a）が使用されなくなったとき等に、第１分配調整ダンパ（6a）が全閉されると、吹出ダクト（2）内での風の抵抗が短時間で増大する。吹出ダクト（2）内での風の抵抗が増大すると、流出口（17）から吹き出る風量がＱ１からＱ２に減少して、差圧計測器（53）での計測値がＰ１からＰ２に低下する（図４中の符号ｂ点に移動する）。そして、全体抵抗は、短時間でａ’からｂ’に上昇する。
【００７２】
制御器（50）は、差圧計測器（53）の計測値が第１所定時間として１０秒以内でＰ１とＰ２との差に相当する値（第１所定値）以上低下したことを検知して、ファンモータ（27）の回転速度を図４中のＮ２（第１補正速度）に引き下げる。このことにより、流出口（17）から吹き出る風量がＱ２からＱ３に減少して、差圧計測器（53）での計測値がＰ２からＰ３に低下する（図４中の符号ｃ点に移動する）。そして、全体抵抗は、ｂ’からｃ’に低下する。このことにより、第２吹出ダクト（2b）を流れる空気の流量が増大して、第２居室（7b）への送風が過剰になることを抑制できる。
【００７３】
また、全閉された第１分配調整ダンパ（6a）が元の開度に戻されると、吹出ダクト（2）内での風の抵抗が短時間で減少する。吹出ダクト（2）内での風の抵抗が減少すると、流出口（17）から吹き出る風量がＱ３からＱ４に増加して、差圧計測器（53）での計測値がＰ３からＰ４に増加する（図４中の符号ｄ点に移動する）。そして、全体抵抗は、短時間でｃ’からｄ’に低下する。
【００７４】
制御器（50）は、ファンモータ（27）が、図４中のＮ２（第１補正速度）で回転しているときに、差圧計測器（53）の計測値が第２所定時間として１０秒以内でＰ３とＰ４との差に相当する値（第２所定値）以上上昇したことを検知して、ファンモータ（27）の回転速度を図４中のＮ１に上げる。このことにより、流出口（17）から吹き出る風量がＱ４からＱ１に増加して、差圧計測器（53）での計測値がＰ４からＰ１に上昇する（図４中の符号ｄ点に移動する）。そして、全体抵抗は、ｄ’からａ’に上昇する。このことにより、第２吹出ダクト（2b）を流れる空気の流量をもとに戻すことができる。
【００７５】
〈風量調整ダンパの開度上昇時の制御〉
図５は、エアハンドリングユニット（1）において、風量調整ダンパ（8a〜8h）のうち例えば第１風量調整ダンパ（8a）の開度が上昇したときの挙動を示すグラフである。図５中の特性曲線Ｄは、流出口（17）から吹き出る風量（Q）と差圧計測器（53）の計測値との関係を示す。図５中の特性曲線Ｒ１は、流出口（17）から吹き出る風量（Q）と各風量調整ダンパ（8a〜8h）が開かれた状態で試運転が正常に終了したとき、またはエアフィルタ（21）に異物が付着してファンモータ（27）の回転速度が引き上げられたときの全体抵抗との関係を示す。図５中の特性曲線Ｒ２は、特性曲線Ｒ１の状態から第１風量調整ダンパ（8a）の開度が上昇したときの、流出口（17）から吹き出る風量（Q）と全体抵抗との関係を示す。図５中の曲線Ｎ１は、試運転で差圧計測器（53）の計測値が設定差圧（図５中の符号Ｐ１）となるように調整されたファンモータ（27）の回転速度を示す。図５中の曲線Ｎ２は、第１風量調整ダンパ（8a）の開度が上昇したときに、流出口（17）から吹き出る風量をＱ１に戻すファンモータ（27）の回転速度を示す。
【００７６】
通常運転時に、制御器（50）は、差圧計測器（53）の計測値が設定差圧（図５中の符号Ｐ１）となるように、ファンモータ（27）の回転速度を、試運転で調整された、またはエアフィルタ（21）に異物が付着して調節された図５中の符号Ｎ１として運転する。このとき、全体抵抗は、図５中の符号ａ’になる。
【００７７】
例えば、第１居室（7a）への送風を増やすとき等に、第１風量調整ダンパ（8a）の開度が上げられると、吹出ダクト（2）内での風の抵抗が短時間で減少する。吹出ダクト（2）内での風の抵抗が減少すると、流出口（17）から吹き出る風量がＱ１からＱ２に増加して、差圧計測器（53）での計測値がＰ１からＰ２に上昇する（図５中の符号ｂ点に移動する）。そして、全体抵抗は、短時間でａ’からｂ’に低下する。
【００７８】
制御器（50）は、差圧計測器（53）の計測値が第３所定時間として１０秒以内でＰ１とＰ２との差に相当する値（第３所定値）以上上昇したことを検知して、ファンモータ（27）の回転速度を図５中のＮ２に引き下げる。このことにより、流出口（17）から吹き出る風量がＱ２からＱ１に減少して、差圧計測器（53）での計測値がＰ２からＰ１に低下する（図５中の符号ｃ点（ａ点と等しい）に移動する）。そして、全体抵抗は、ｂ’からｃ’に低下する。このことにより、流出口（17）から吹き出る風量が過剰になることを抑制できる。
【００７９】
〈風量調整ダンパの開度低下時の制御〉
図６は、エアハンドリングユニット（1）において、風量調整ダンパ（8a〜8h）のうち例えば第１風量調整ダンパ（8a）の開度が低下したときの挙動を示すグラフである。図６中の特性曲線Ｄは、流出口（17）から吹き出る風量（Q）と差圧計測器（53）との関係を示す。図６中の特性曲線Ｒ１は、各風量調整ダンパ（8a〜8h）が開かれた状態で試運転が正常に終了したときまたはエアフィルタ（21）に異物が付着してファンモータ（27）の回転速度が引き上げられたときの、流出口（17）から吹き出る風量（Q）と全体抵抗との関係を示す。図６中の特性曲線Ｒ２は、特性曲線Ｒ１の状態から第１風量調整ダンパ（8a）の開度が低下したときの、流出口（17）から吹き出る風量（Q）と全体抵抗との関係を示す。図６中の曲線Ｎ１は、試運転で差圧計測器（53）の計測値が設定差圧（図６中の符号Ｐ１）となるように調整されたファンモータ（27）の回転速度を示す。図６中の曲線Ｎ２は、第１風量調整ダンパ（8a）の開度が低下したときに、流出口（17）から吹き出る風量をＱ１に戻すファンモータ（27）の回転速度を示す。
【００８０】
通常運転時に、制御器（50）は、差圧計測器（53）の計測値が設定差圧（図６中の符号Ｐ１）となるように、ファンモータ（27）の回転速度を、試運転で調整された、またはエアフィルタ（21）に異物が付着して調節された図６中の符号Ｎ１として運転する。このとき、全体抵抗は、図６中の符号ａ’になる。
【００８１】
例えば、第１居室（7a）への送風を減らすとき等に、第１風量調整ダンパ（8a）の開度が下げられると、吹出ダクト（2）内での風の抵抗が短時間で増大する。吹出ダクト（2）内での風の抵抗が増大すると、流出口（17）から吹き出る風量がＱ１からＱ２に減少して、差圧計測器（53）での計測値がＰ１からＰ２に低下する（図６中の符号ｂ点に移動する）。そして、全体抵抗は、短時間でａ’からｂ’に上昇する。
【００８２】
制御器（50）は、差圧計測器（53）の計測値が第４所定時間として１０秒以内でＰ１とＰ２との差に相当する値（第４所定値）以上低下したことを検知して、ファンモータ（27）の回転速度を図６中のＮ２に引き上げる。なお、第４所定値は、上記第１所定値よりも小さい値である。このことにより、流出口（17）から吹き出る風量がＱ２からＱ１に増加して、差圧計測器（53）での計測値がＰ２からＰ１に上昇する（図６中の符号ｃ点（ａ点と等しい）に移動する）。そして、全体抵抗は、ｂ’からｃ’に上昇する。このことにより、流出口（17）から吹き出る風量が不足することを抑制できる。
【００８３】
−実施形態１の効果−
上述したように、試運転では、各吹出口（9a〜9h）の吹出風量がそれぞれの設定値となるように、作業者が分配調整ダンパ（6a,6b）及び風量調整ダンパ（8a〜8h）の開度を調整する。ファンモータ（27）の回転速度が一定の状態で分配調整ダンパ（6a,6b）及び風量調整ダンパ（8a〜8h）の開度を変更すると、エアハンドリングユニット（1）の吹出風量が変化し、その結果、通風部材（20）の前後の差圧が変化する。このため、従来、作業者は、試運転において、吹出ダクトに配置されたダンパの開度の調整と、ファンモータ（27）の回転速度の調整とを何度も繰り返す必要があり、試運転の工数が嵩んでいた。
【００８４】
本実施形態のエアハンドリングユニット（1）は、第１居室（7a）及び第２居室（7b）に形成された複数の吹出口（9a〜9h）に対して吹出ダクト（2）によって接続され、吹出口（9a〜9h）に送風するエアハンドリングユニット（1）であって、空気を取り入れる流入口（16）と吹出ダクト（2）が接続される流出口（17）とを有し、流入口（16）から流出口（17）に至る空気流路を形成するケーシング（10）と、ケーシング（10）内に配置され、空気流路において流入口（16）から流出口（17）へ空気を送るファンユニット（25）と、空気流路に配置され、空気を通過させる通風部材（20）と、通風部材（20）の前後の差圧を計測する差圧計測器（53）と、差圧計測器（53）の計測値に基づいてファンモータ（27）の回転速度を調節する制御器（50）とを備える。
【００８５】
本実施形態では、制御器（50）がファンモータ（27）の回転速度を調節するので、作業者は、試運転時には分配調整ダンパ（6a,6b）及び風量調整ダンパ（8a〜8h）の開度の調節だけを行えばよい。このため、試運転の工数を削減すると共に吹出風量の調整を容易にすることができる。
【００８６】
また、差圧計測器（53）は、ケーシング（10）内に配置された通風部材（20）の前後の差圧を計測する。このため、エアハンドリングユニット（1）の外側で、制御器（50）と差圧計測器（53）とを接続するための工事が不要になる。したがって、エアハンドリングユニット（1）の設置の際の工事の工数を抑制することができる。
【００８７】
また、本実施形態のエアハンドリングユニット（1）において、制御器（50）は、ファンモータ（27）の回転速度を、差圧計測器（53）の計測値が設定差圧となるように調整する試運転を行う。
【００８８】
本実施形態では、試運転で差圧計測器（53）の計測値に基づいてファンモータ（27）の回転速度を調整するので、試運転における風量の調節が容易になる。
【００８９】
また、本実施形態のエアハンドリングユニット（1）において、差圧計測器（53）の計測値が設定差圧になったことを示す条件が成立すると試運転が終了し、試運転が終了したことを報知する表示器（57）を備える。
【００９０】
本実施形態では、試運転が終了したことを作業者に報知することができる。このため、作業者の作業効率を向上できる。
【００９１】
また、本実施形態のエアハンドリングユニット（1）において、通風部材（20）は、空気を浄化するエアフィルタ（21）である。
【００９２】
本実施形態では、エアフィルタ（21）は通常エアハンドリングユニット（1）に設けられている。このため、通風部材（20）を構成するために別途特別な部材を用意して、取付工事を行う必要がなくなる。また、エアフィルタ（21）の汚れを検知するために用いられていた差圧計測器（53）を用いてファンモータ（27）の回転速度を調節することができる。
【００９３】
また、本実施形態のエアハンドリングユニット（1）において、通常運転時に、制御器（50）は、差圧計測器（53）の計測値が設定差圧よりも大きいとき、ファンモータ（27）の回転速度を上げる。
【００９４】
本実施形態では、エアフィルタ（21）に異物が付着してエアフィルタ（21）の前後の差圧が大きくなったときに、ファンモータ（27）の回転速度を上げることができる。このため、流出口（17）から吹き出る風量が不足することを抑制できる。
【００９５】
また、本実施形態のエアハンドリングユニット（1）において、制御器（50）は、リセット信号を受けると、ファンモータ（27）の回転速度を通常運転が開始したときの回転速度に戻す。
【００９６】
本実施形態では、作業者が異物を捕集したエアフィルタ（21）を新しいエアフィルタ（21）に交換したとき、リセットスイッチ（41）を押して制御器（50）にリセット信号を送信することで、回転速度が上げられたファンモータ（27）をもとの回転速度に戻すことができる。
【００９７】
また、本実施形態のエアハンドリングユニット（1）において、吹出ダクト（2）には、流量調整用の開度可変の分配調整ダンパ（6a,6b）が配置され、制御器（50）は、差圧計測器（53）の計測値が第１所定時間内で第１所定値以上低下したとき、ファンモータ（27）の回転速度を第１補正速度に引き下げる。
【００９８】
本実施形態では、第１分配調整ダンパ（6a）が全閉したとき、吹出ダクト（2）内での風の抵抗が短時間で増大する。吹出ダクト（2）内での風の抵抗が増大すると、流出口（17）から吹き出る風量が減少して、差圧計測器（53）での計測値が短時間で低下する。また、第１分配調整ダンパ（6a）が全閉しているので、第２吹出ダクト（2b）を流れる空気の流量が増える。このため、本実施形態によれば、第２居室（7b）への送風が過剰になることを抑制できる。
【００９９】
また、本実施形態のエアハンドリングユニット（1）において、制御器（50）は、ファンモータ（27）が第１補正速度で回転し且つ差圧計測器（53）の計測値が第２所定時間内で第２所定値以上上昇したとき、ファンモータ（27）の回転速度を上げる。
【０１００】
本実施形態では、ファンモータ（27）が第１補正速度で回転しているときに、全閉された第１分配調整ダンパ（6a）が元の開度に戻されると、吹出ダクト（2）内での風の抵抗が短時間で減少する。吹出ダクト（2）内での風の抵抗が減少すると、流出口（17）から吹き出る風量が増加して、差圧計測器（53）での計測値が短時間で上昇する。このため、本実施形態によれば、第１補正速度に引き下げられたファンモータ（27）の回転速度をもとの回転速度に戻すことができる。
【０１０１】
また、本実施形態のエアハンドリングユニット（1）において、吹出ダクト（2）には、流量調整用の開度可変の風量調整ダンパ（8a〜8h）が配置され、制御器（50）は、差圧計測器（53）の計測値が第３所定時間内で第３所定値以上上昇したとき、ファンモータ（27）の回転速度を下げる。
【０１０２】
本実施形態では、第１風量調整ダンパ（8a）の開度が上げられると、吹出ダクト（2）内での風の抵抗が短時間で減少する。吹出ダクト（2）内での風の抵抗が減少すると、流出口（17）から吹き出る風量が増加して、差圧計測器（53）での計測値が短時間で上昇する。このため、本実施形態によれば、ファンモータ（27）の回転速度を下げて、流出口（17）から吹き出る風量が過剰になることを抑制できる。
【０１０３】
また、本実施形態のエアハンドリングユニット（1）において、制御器（50）は、差圧計測器（53）の計測値が第４所定時間内で第４所定値以上低下したとき、ファンモータ（27）の回転速度を上げる。
【０１０４】
本実施形態では、第１風量調整ダンパ（8a）の開度が下げられると、吹出ダクト（2）内での風の抵抗が短時間で増大する。吹出ダクト（2）内での風の抵抗が増大すると、流出口（17）から吹き出る風量が減少して、差圧計測器（53）での計測値が短時間で低下する。このため、本実施形態によれば、流出口（17）から吹き出る風量が不足することを抑制できる。
【０１０５】
また、本実施形態のエアハンドリングユニット（1）において、空気流路に設けられて空気流の乱れを抑える整流部材（42a,42b）を備える。
【０１０６】
本実施形態では、空気流路を流れる空気流の乱れを抑えて、差圧計測器（53）の計測値の変動を抑制できる。
【０１０７】
また、本実施形態のエアハンドリングユニット（1）において、差圧計測器（53）の計測値から換算した風量を表示する表示器（57）を備える。
【０１０８】
本実施形態では、作業者が風量を容易に確認できる。
【０１０９】
《実施形態２》
実施形態２について説明する。本実施形態のエアハンドリングユニット（1）は、実施形態１のエアハンドリングユニット（1）において、差圧計測器（53）の差圧取出管（54a,54b）の位置を変更したものである。ここでは、本実施形態のエアハンドリングユニット（1）について、実施形態１のエアハンドリングユニット（1）と異なる点を説明する。
【０１１０】
図７に示すように、差圧計測器（53）は、熱交換器（22）の前後の差圧を計測する。上流側差圧取出管（54a）は、先端が熱交換器（22）の上流側に位置している。下流側差圧取出管（54b）は、先端が熱交換器（22）の下流側に位置している。したがって、本実施形態では、通風部材（20）は、熱交換器（22）となっている。
【０１１１】
−運転動作−
〈エアフィルタ目詰まり時の制御〉
図８は、本実施形態のエアハンドリングユニット（1）において、エアフィルタ（21）が汚れた際の挙動を示すグラフである。図８中の特性曲線Ｄ１は、流出口（17）から吹き出る風量（Q）と差圧計測器（53）の計測値との関係を示す。図８中の曲線Ｎ１及びＮ２は、ファンモータ（27）の回転速度を示す。
【０１１２】
例えば、試運転が正常に終了した直後の通常運転では、制御器（50）は、差圧計測器（53）の計測値が設定差圧（図８中のＰ１）となるように、ファンモータ（27）の回転速度を試運転で調整された速度で運転する。このとき、流出口（17）から吹き出る風量は、図８中の符号Ｑ１になる。
【０１１３】
通常運転の運転時間が経過するにつれて、エアフィルタ（21）に異物が付着する。このため、熱交換器（22）を通過する風量は、図８中の符号Ｑ２に下がる。この結果、差圧計測器（53）の計測値が、設定差圧よりも小さくなり図８中のＰ２になる。すなわち、図中のａ点からｂ点に移行する。制御器（50）は、差圧計測器（53）の計測値（図８中のＰ２）と設定差圧（図８中のＰ１）との差に応じてファンモータ（27）の回転速度を引き上げる。このとき、差圧計測器（53）の計測値と設定差圧との差が大きいほどファンモータ（27）の回転速度を上げる。このことにより、風量（Q）と差圧（P）との関係は、図８中のｂ点からa点に戻って、流出口（17）から吹き出る風量は、図８中の符号Ｑ１に戻る。そうすることにより、エアフィルタ（21）に異物が付着しても、流出口（17）から吹き出る風量が減少することを抑制できる。
【０１１４】
−実施形態２の効果−
本実施形態のエアハンドリングユニット（1）は、通風部材（20）は、空気の温度を調節する熱交換器（22）である。
【０１１５】
本実施形態では、熱交換器（22）は通常エアハンドリングユニット（1）に設けられている。このため、通風部材（20）を構成するために別途特別な部材を用意して、取付工事を行う必要がなくなる。
【０１１６】
また、本実施形態のエアハンドリングユニット（1）において、通常運転時に、制御器（50）は、差圧計測器（53）の計測値が設定差圧よりも小さいとき、ファンモータ（27）の回転速度を上げる。
【０１１７】
本実施形態では、エアフィルタ（21）に異物が付着して熱交換器（22）に流れる風量が減少したときに、ファンモータ（27）の回転速度を上げることができる。このため、流出口（17）から吹き出る風量が不足することを抑制できる。
【０１１８】
《実施形態３》
実施形態３について説明する。本実施形態のエアハンドリングユニット（1）は、上記実施形態のエアハンドリングユニット（1）において、差圧計測器（53）は試運転のときのみに設けられるものである。ここでは、本実施形態のエアハンドリングユニット（1）について、上記実施形態のエアハンドリングユニット（1）と異なる点を説明する。
【０１１９】
図９は、エアハンドリングユニット（1）の試運転時の構成を示す。本実施形態では、エアハンドリングユニット（1）が機械室（4）に設置された後、且つ試運転を行う前に、空気流路におけるエアフィルタ（21）と熱交換器（22）との間に通風部材（22）を設置する（通風部材設置工程）。通風部材（20）としては、空気を通過させる部材であればよく、例えば複数の貫通孔が空けられたパンチングボードが挙げられる。そして、差圧計測器（53）が、通風部材（20）の前後の差圧を計測可能に設置される。具体的に、上流側差圧取出管（54a）の先端が通風部材（20）の上流側に位置し、且つ下流側差圧取出管（54b）の先端が熱交換器（22）の下流側に位置するように設置される。
【０１２０】
試運転では、制御器（50）は、通風部材（20）の前後の差圧に基づいてファンモータ（27）の回転速度を調整する（回転速度調整工程）。そして、試運転が終了すると、通風部材（20）及び差圧計測器（53）をエアハンドリングユニット（1）から取り外す（通風部材取り外し工程）。すなわち、本実施形態では、エアハンドリングユニット（1）から差圧計測器（53）が取り外された状態で通常運転が行われる。
【０１２１】
−実施形態３の効果−
本実施形態のエアハンドリングユニット（1）のファンユニット（25）の回転速度調整方法は、回転速度調整工程の前に空気流路に通風部材（20）を設置する通風部材設置工程と、回転速度調整工程の後に通風部材（20）を取り外す通風部材取り外し工程とを備える。
【０１２２】
本実施形態では、通風部材（20）が必要な回転速度調整工程において通風部材（20）を設置して、回転速度調整工程の後に通風部材（20）を取り外すことができる。
【０１２３】
《その他の実施形態》
上記各実施形態については、以下のような構成としてもよい。
【０１２４】
上記各実施形態では、通常運転時に、制御器（50）は、差圧計測器（53）の計測値が第１所定時間内で第１所定値以上低下したとき、ファンモータ（27）の回転速度を第１補正速度に引き下げていた。しかし、この制御は、試運転で行われてもよい。
【０１２５】
上記各実施形態では、通常運転時に、制御器（50）は、差圧計測器（53）の計測値が第３所定時間内で第３所定値以上上昇したとき、ファンモータ（27）の回転速度を下げていた。しかし、この制御は、試運転で行われてもよい。
【０１２６】
上記各実施形態では、通常運転時に、制御器（50）は、差圧計測器（53）の計測値が第４所定時間内で第４所定値以上低下したとき、ファンモータ（27）の回転速度を上げていた。しかし、この制御は、試運転で行われてもよい。
【０１２７】
上記各実施形態では、整流部材（42a,42b）は、入口室（13）及び出口室（15）の両方に配置されていたが、整流部材（42）は、入口室（13）及び出口室（15）の一方に配置されてもよく、整流部材（42a,42b）は設けられなくてもよい。
【０１２８】
上記各実施形態では、試運転において、回転速度調整工程では、制御器（50）は、通風部材（20）の前後の差圧に基づいてインバータ（55）を介してファンモータ（27）の回転速度を調整していた。しかし、制御器（50）は、インバータ（55）と通信可能に構成されていなくてもよい。その場合、回転速度調整工程では、作業者は、表示器（57）に表示された風量を参照しながら、インバータ（55）を手動で調整する。
【０１２９】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１３０】
以上説明したように、本開示は、空気調和装置および送風ファンの回転速度調整方法について有用である。
【符号の説明】
【０１３１】
1  エアハンドリングユニット（空気調和装置）
2  吹出ダクト（ダクト）
6a,6b  分配調整ダンパ（ダンパ）
7a  第１居室（空調対象空間）
7b  第２居室（空調対象空間）
8a〜8h  風量調整ダンパ（ダンパ）
9a〜9h  吹出口
10  ケーシング
16  流入口
17  流出口
20  通風部材
21  エアフィルタ
22  熱交換器
25  ファンユニット（送風ファン）
42a  入口側整流部材（整流部材）
42b  出口側整流部材（整流部材）
50  制御器
53  差圧計測器
57  表示器（報知部、表示部）
【図１】
2020046135.tif 000003
【図２】
2020046135.tif 000004
【図３】
2020046135.tif 000005
【図４】
2020046135.tif 000006
【図５】
2020046135.tif 000007
【図６】
2020046135.tif 000008
【図７】
2020046135.tif 000009
【図８】
2020046135.tif 000010
【図９】
2020046135.tif 000011
【手続補正書】
【提出日】令和1年11月1日(2019.11.1)
【手続補正１】
【補正対象書類名】明細書
【補正対象項目名】全文
【補正方法】変更
【補正の内容】
【発明の詳細な説明】
【技術分野】
【０００１】
本開示は、空気調和装置および送風ファンの回転速度調整方法に関するものである。
【背景技術】
【０００２】
特許文献１には、ダクト内を流れる空気の流れ方向に傾斜して固定されたブレードを有するガラリの前後の差圧を計測する差圧計測部と、差圧計側部によって計測された差圧よりガラリを通過する空気の実流量を求める実風量計測部とを備える空気調和システムが開示されている。
【先行技術文献】
【特許文献】
【０００３】
【特許文献１】特開２００４−１９８２７１号公報
【発明の概要】
【発明が解決しようとする課題】
【０００４】
特許文献１に開示された空気調和システムにおいて、差圧計測部は、空調機の外部に配置されている。このため、差圧計測部と空調機とを接続するための配線工事が必要となってしまう。
【０００５】
本開示の目的は、空気調和装置において設置の際の工事の工数を抑制することにある。
【課題を解決するための手段】
【０００６】
本開示の第１，第３，第４，第６，第７の各態様は空調対象空間（7a,7b）に形成された複数の吹出口（9a〜9h）に対してダクト（2）によって接続され、上記吹出口（9a〜9h）に送風する空気調和装置（1）であって、空気を取り入れる流入口（16）と上記ダクト（2）が接続される流出口（17）とを有し、上記流入口（16）から上記流出口（17）に至る空気流路を形成するケーシング（10）と、上記ケーシング（10）内に配置され、上記空気流路において上記流入口（16）から上記流出口（17）へ空気を送る送風ファン（25）と、上記空気流路に配置され、空気を通過させる通風部材（20）と、上記通風部材（20）の前後の差圧を計測する差圧計測器（53）と、上記差圧計測器（53）の計測値に基づいて上記送風ファン（25）の回転速度を調節する制御器（50）とを備えることを特徴とする。
【０００７】
第１，第３，第４，第６，第７の各態様では、差圧計測器（53）は、ケーシング（10）内に配置された通風部材（20）の前後の差圧を計測する。このため、空気調和装置（1）の外側で、制御器（50）と差圧計測器（53）とを接続するための工事が不要になる。したがって、空気調和装置（1）の設置の際の工事の工数を抑制することができる。
【０００８】
第３の態様は、上記の構成に加えて、上記通風部材（20）は、空気を浄化するエアフィルタ（21）であることを特徴とする。
【０００９】
第３の態様では、エアフィルタ（21）は、もともと空気調和装置（1）に設けられている。このため、通風部材（20）を構成するために別途特別な部材を用意する必要がなくなる。
【００１０】
第１の態様は、上記の構成に加えて、上記通風部材（20）は、空気の温度を調節する熱交換器（22）であることを特徴とする。
【００１１】
第１の態様では、熱交換器（22）は、もともと空気調和装置（1）に設けられている。このため、通風部材（20）を構成するために別途特別な部材を用意する必要がなくなる。
【００１２】
第３の態様は、上記の構成に加えて、通常運転時に、上記制御器（50）は、上記差圧計測器（53）の計測値が設定差圧よりも大きいとき、上記送風ファン（25）の回転速度を上げることを特徴とする。
【００１３】
第３の態様では、例えば、エアフィルタ（21）に異物が付着してエアフィルタ（21）の前後の差圧が大きくなったときに、送風ファン（25）の回転速度を上げることができる。このため、流出口（17）から吹き出る風量が不足することを抑制できる。
【００１４】
第１の態様は、上記の構成に加えて、上記空気流路に空気を浄化するエアフィルタ（21）を備え、通常運転時に、上記制御器（50）は、上記差圧計測器（53）の計測値が設定差圧よりも小さいとき、上記送風ファン（25）の回転速度を上げることを特徴とする。
【００１５】
第１の態様では、例えば、エアフィルタ（21）に異物が付着して熱交換器（22）に流れる風量が減少したときに、送風ファン（25）の回転速度を上げることができる。このため、流出口（17）から吹き出る風量が不足することを抑制できる。
【００１６】
第２の態様は、第１の態様において、上記制御器（50）は、リセット信号を受けると、上記送風ファン（25）の回転速度を上記通常運転が開始したときの回転速度に戻すことを特徴とする。
【００１７】
第３の態様は、上記の構成に加えて、上記制御器（50）は、リセット信号を受けると、上記送風ファン（25）の回転速度を上記通常運転が開始したときの回転速度に戻すことを特徴とする。
【００１８】
第２，第３の各態様では、作業者がリセット信号を送信することで、回転速度が上げられた送風ファン（25）をもとの回転速度に戻すことができる。
【００１９】
本開示の第４の態様は、上記の構成に加えて、上記ダクト（2）には、流量調整用の開度可変のダンパ（6a,6b）が配置され、上記制御器（50）は、上記差圧計測器（53）の計測値が第１所定時間内で第１所定値以上低下したとき、上記送風ファン（25）の回転速度を第１補正速度に引き下げることを特徴とする。
【００２０】
第４の態様では、例えば、少なくとも１つのダンパ（6a,6b）が全閉したとき、短時間で差圧計速器の計測値が低下する。また、開かれたダンパ（6a,6b）に対応するダクト（2）を流れる空気の流量が増える。このため、開かれたダンパ（6a,6b）に対応するダクト（2）に対応する空調対象空間（7a,7b）への送風が過剰になることを抑制できる。
【００２１】
本開示の第５の態様は、第４の態様において、上記制御器（50）は、上記送風ファン（25）が上記第１補正速度で回転し且つ上記差圧計測器（53）の計測値が第２所定時間内で第２所定値以上上昇したとき、上記送風ファン（25）の回転速度を上げることを特徴とする。
【００２２】
第５の態様では、送風ファン（25）が第１補正速度で回転しているときに、例えば、全閉されたダンパ（6a）が元の開度に戻されると、短時間で差圧計速器の計測値が上昇する。このため、第１補正速度に引き下げられた送風ファン（25）の回転速度をもとの回転速度に戻すことができる。
【００２３】
第６の態様は、上記の構成に加えて、上記ダクト（2）には、流量調整用の開度可変のダンパ（8a〜8h）が配置され、上記制御器（50）は、上記差圧計測器（53）の計測値が第３所定時間内で第３所定値以上上昇したとき、上記送風ファン（25）の回転速度を下げることを特徴とする。
【００２４】
第６の態様では、例えば、ダンパ（8a〜8h）の開度が上げられると、ダクト（2）内での風の抵抗が短時間で減少する。ダクト（2）内での風の抵抗が減少すると、流出口（17）から吹き出る風量が増加して、差圧計測器（53）での計測値が短時間で上昇する。このため、送風ファン（25）の回転速度を下げて、流出口（17）から吹き出る風量が過剰になることを抑制できる。
【００２５】
第７の態様は、上記の構成に加えて、上記ダクト（2）には、流量調整用の開度可変のダンパ（8a〜8h）が配置され、上記制御器（50）は、上記差圧計測器（53）の計測値が第４所定時間内で第４所定値以上低下したとき、上記送風ファン（25）の回転速度を上げることを特徴とする。
【００２６】
第７の態様では、例えば、ダンパ（8a〜8h）の開度が下げられると、ダクト（2）内での風の抵抗が短時間で増大する。ダクト（2）内での風の抵抗が増加すると、流出口（17）から吹き出る風量が減少して、短時間で差圧計測器（53）での計測値が低下する。このため、送風ファン（25）の回転速度を上げて、流出口（17）から吹き出る風量が不足することを抑制できる。
【００２７】
本開示の第８の態様は、第１〜第７のいずれか一つの態様において、上記制御器（50）は、上記送風ファン（25）の回転速度を、上記差圧計測器（53）の計測値が設定差圧となるように調整する試運転を行うことを特徴とする。
【００２８】
第８の態様では、試運転で差圧計測器（53）の計測値に基づいて送風ファン（25）の回転速度を調整するので、試運転における風量の調節が容易になる。
【００２９】
本開示の第９の態様は、第８の態様において、上記差圧計測器（53）の計測値が上記設定差圧になったことを示す条件が成立すると上記試運転が終了し、上記試運転が終了したことを報知する報知部（57）を備えることを特徴とする。
【００３０】
第９の態様では、試運転が終了したことを作業者に報知することができる。
【００３１】
本開示の第１０の態様は、第１〜第９のいずれか１つの態様において、上記空気流路に設けられて空気流の乱れを抑える整流部材（42a,42b）を備えることを特徴とする。
【００３２】
第１０の態様では、空気流路を流れる空気流の乱れを抑えて、差圧計測器（53）の計測値の変動を抑制できる。
【００３３】
本開示の第１１の態様は、第１〜第１０のいずれか１つの態様において、上記差圧計測器（53）の計測値から換算した風量を表示する表示部（57）を備えることを特徴とする。
【００３４】
第１１の態様では、作業者が風量を容易に確認できる。
【００３５】
本開示の第１２の態様は、空気の流入口（16）と流出口（17）とが形成されたケーシング（10）と、上記ケーシング（10）の内部に配置され、上記流入口（16）から上記流出口（17）に至る空気流路において上記流入口（16）から上記流出口（17）へ空気を送る送風ファン（25）とを備える空気調和装置の送風ファン（25）の回転速度調整方法であって、上記空気流路に配置された通風部材（20）の前後の差圧に基づいて上記送風ファン（25）の回転速度を調整する回転速度調整工程を備えることを特徴とする。
【００３６】
第１２の態様では、ケーシング（10）内に配置された通風部材（20）の前後の差圧を計測する。このため、空気調和装置（1）の外側で、制御器（50）と差圧計測器（53）とを接続するための工事が不要になる。したがって、空気調和装置（1）の設置の際の工事の工数を抑制することができる。
【００３７】
本開示の第１２の態様は、上記の構成に加えて、上記回転速度調整工程の前に上記空気流路に上記通風部材（20）を設置する通風部材設置工程と、上記回転速度調整工程の後に上記通風部材（20）を取り外す通風部材取り外し工程とを備えることを特徴とする。
【００３８】
第１２の態様では、通風部材（20）が必要な回転速度調整工程において通風部材（20）を設置して、回転速度調整工程の後に通風部材（20）を取り外すことができる。
【図面の簡単な説明】
【００３９】
【図１】図１は、実施形態１の空気調和システムの構成を示す概略図である。
【図２】図２は、実施形態１のエアハンドリングユニットの構成を示す概略断面図である。
【図３】図３は、実施形態１のエアハンドリングユニットにおいて、エアフィルタが汚れた際の挙動を示すグラフである。
【図４】図４は、実施形態１のエアハンドリングユニットにおいて、１つのダンパを全閉した際の挙動を示すグラフである。
【図５】図５は、実施形態１のエアハンドリングユニットにおいて、１つのダンパの開度を広げた際の挙動を示すグラフである。
【図６】図６は、実施形態１のエアハンドリングユニットにおいて、１つのダンパの開度を絞った際の挙動を示すグラフである。
【図７】図７は、実施形態２の図２相当図である。
【図８】図８は、実施形態２の図３相当図である。
【図９】図９は、実施形態３のエアハンドリングユニットの試運転時の構成を示す概略断面図である。
【発明を実施するための形態】
【００４０】
《実施形態１》
実施形態１について説明する。本実施形態のエアハンドリングユニット（1）は、空気の温度調節と加湿とを行うように構成されている。エアハンドリングユニット（1）は、ビルなどの建物に設けられ、空気調和システム（3）の一部を構成している。
【００４１】
−空気調和システムの構成−
図１に示すように、空気調和システム（3）は、エアハンドリングユニット（1）と吹出ダクト（2）と分配調整ダンパ（6a,6b）と風量調整ダンパ（8a〜8h）とを備えている。
【００４２】
エアハンドリングユニット（1）は、空気調和装置を構成している。エアハンドリングユニット（1）は、例えば建物の機械室（4）に配置されている。エアハンドリングユニット（1）は、空調対象空間としての第１居室（7a）及び第２居室（7b）の天井にそれぞれ複数形成された吹出口（9a〜9h）に調和空気を送風する。エアハンドリングユニット（1）の構成については後述する。
【００４３】
ダクトとしての吹出ダクト（2）は、機械室（4）から廊下（5）及び各居室（7a,7b）の天井裏の空間を通って各吹出口（9a〜9h）にまで延びている。吹出ダクト（2）は、エアハンドリングユニット（1）と各吹出口（9a〜9h）とを接続する。吹出ダクト（2）は、機械室（4）で分岐しており、機械室（4）から第１居室（7a）に向かって延びる第１吹出ダクト（2a）と、機械室（4）から第２居室（7b）に向かって延びる第２吹出ダクト（2b）とを備えている。
【００４４】
分配調整ダンパ（6a,6b）は、開度可変の流量調整用のダンパである。分配調整ダンパ（6a,6b）は、第１分配調整ダンパ（6a）と第２分配調整ダンパ（6b）とからなる。第１分配調整ダンパ（6a）は、廊下（5）において第１吹出ダクト（2a）内に配置されている。第２分配調整ダンパ（6b）は、廊下（5）において第２吹出ダクト（2b）内に配置されている。第１分配調整ダンパ（6a）及び第２分配調整ダンパ（6b）の開度を調節することで、エアハンドリングユニット（1）から第１居室（7a）及び第２居室（7b）に供給される空気の割合を調節することができる。
【００４５】
風量調整ダンパ（8a〜8h）は、各居室（7a,7b）において、それぞれの吹出口（9a〜9h）に対応して１つずつ設けられている。各風量調整ダンパ（8a〜8h）の開度を調節すると、その風量調整ダンパ（8a〜8h）に対応する吹出口（9a〜9h）から吹き出される空気の流量が変化する。
【００４６】
−エアハンドリングユニットの構成−
図２に示すように、エアハンドリングユニット（1）は、中空直方体状のケーシング（10）を備えている。ケーシング（10）の内部空間は、第１隔壁板（11）と第２隔壁板（12）とによって、入口室（13）と中間室（14）と出口室（15）とに仕切られている。ケーシング（10）では、その長手方向の一端から他端へ向かって順に、入口室（13）と中間室（14）と出口室（15）とが配置されている。
【００４７】
ケーシング（10）の天板は、入口室（13）に臨む部分に流入口（16）が形成され、出口室（15）に臨む部分に流出口（17）が形成されている。流入口（16）には、吸込ダクト（44）が接続されている。流出口（17）には、吹出ダクト（2）が接続されている。エアハンドリングユニット（1）は、吸込ダクト（44）から流入口（16）を通じてケーシング（10）の内部に空気を取り入れ、流出口（17）から吹出ダクト（2）へ空気を送る。ケーシング（10）は、流入口（16）から入口室（13）、中間室（14）、出口室（15）を順に通り流出口（17）に至る空気流路を形成する。ケーシング（10）の底板（34）は、中間室（14）に臨む部分が下方へ窪んだドレンパン（18）を構成している。
【００４８】
第１隔壁板（11）には、第１開口（11a）が形成されている。入口室（13）は、この第１開口（11a）を介して中間室（14）に連通する。第２隔壁板（12）には、第２開口（12a）が形成されている。中間室（14）は、この第２開口（12a）を介して出口室（15）に連通する。
【００４９】
エアハンドリングユニット（1）は、エアフィルタ（21）と、整流部材（42a,42b）と、熱交換器（22）と、加湿エレメント（23）と、ファンユニット（25）と、差圧計測器（53）と、制御器（50）と、インバータ（55）と、表示器（57）とを備えている。エアフィルタ（21）と入口側整流部材（42a）とは、入口室（13）に配置されている。熱交換器（22）と加湿エレメント（23）とは、中間室（14）に配置されている。中間室（14）において、加湿エレメント（23）は、熱交換器（22）の下流側に配置されている。ファンユニット（25）と出口側整流部材（42b）とは、出口室（15）に配置されている。
【００５０】
エアフィルタ（21）は、空気流路に配置され、空気を通過させる。エアフィルタ（21）は、通風部材（20）を構成する。エアフィルタ（21）は、空気に含まれる塵埃等の異物を捕集して空気を浄化するための部材である。エアフィルタ（21）は、第１開口（11a）を覆うように設けられる。エアフィルタ（21）の上方には、リセットスイッチ（41）が配置されている。リセットスイッチ（41）は、例えばボタンスイッチからなる。作業者は、異物を捕集したエアフィルタ（21）を新しいエアフィルタ（21）に交換したとき、リセットスイッチ（41）を押す。リセットスイッチ（41）が押されると、リセットスイッチ（41）は、制御器（50）にリセット信号を送信する。
【００５１】
入口側整流部材（42a）は、入口室（13）において、流入口（16）の下方且つ空気流路におけるエアフィルタ（21）の上流側に配置されている。入口側整流部材（42a）は、空気流の乱れを抑える。入口側整流部材（42a）は、ケーシング（10）の奥行き方向（図２における紙面に垂直な方向）に互いに所定の間隔をおいて配置された複数の整流板によって構成される。
【００５２】
熱交換器（22）は、空気流路に配置され、空気を通過させる。熱交換器（22）は、いわゆるクロスフィン型のフィンアンドチューブ熱交換器である。この熱交換器（22）は、図外の熱源機器から供給された熱媒水を空気と熱交換させて空気の温度を調節する。熱源機器は、例えば、冷凍サイクルを行って熱媒水を冷却し又は加熱するチラー装置によって構成される。
【００５３】
加湿エレメント（23）は、供給された水を空気と接触させて気化させるための部材である。加湿エレメント（23）は、スポンジ状または不織布状の樹脂からなり、ある程度の量の水を保持でき、且つ空気が通過できるように構成されている。加湿エレメント（23）は、ケーシング（10）の奥行き方向（図２における紙面に垂直な方向）に並んで複数配置されている。
【００５４】
ファンユニット（25）は、送風ファンを構成する。ファンユニット（25）は、羽根車（26）と、羽根車（26）を駆動するＡＣモータからなるファンモータ（27）とを備えている。ファンモータ（27）はインバータ（55）に接続されている。羽根車（26）は、その吸込口が第２開口（12a）を覆うように配置され、吸込口から吸い込んだ空気を周方向へ吹き出す。ファンユニット（25）は、空気流路において流入口（16）から流出口（17）へ空気を送る。
【００５５】
出口側整流部材（42b）は、出口室（15）において、流出口（17）の下方且つ空気流路におけるファンユニット（25）の下流側に配置されている。出口側整流部材（42b）は、空気流の乱れを抑える。出口側整流部材（42b）は、ケーシング（10）の奥行き方向（図２における紙面に垂直な方向）に互いに所定の間隔をおいて配置された複数の整流板によって構成される。
【００５６】
差圧計測器（53）は、エアフィルタ（21）の前後の差圧を計測する。具体的に、差圧計測器（53）は、空気流路におけるエアフィルタ（21）の上流部の静圧と空気流路におけるエアフィルタ（21）の下流部の静圧との差を計測する。差圧計測器（53）は、上流側差圧取出管（54a）と下流側差圧取出管（54b）とを備えている。上流側差圧取出管（54a）は、先端がエアフィルタ（21）の上流側に位置している。下流側差圧取出管（54b）は、先端がエアフィルタ（21）の下流側に位置している。差圧計測器（53）は、制御器（50）と通信可能に構成されている。差圧計測器（53）は、計測値を制御器（50）に送信する。
【００５７】
制御器（50）は、リセットスイッチ（41）、差圧計測器（53）、インバータ（55）、及び表示器（57）と通信可能に構成されている。制御器（50）は、差圧計測器（53）の計測値に基づいてインバータ（55）を介してファンモータ（27）の回転速度を調節する。また、制御器（50）は、後述する試運転が終了したことを判定する。
【００５８】
表示器（57）は、表示部及び報知部を構成する。表示器（57）は、差圧計測器（53）の計測値から換算した風量を表示する。表示器（57）は、制御器（50）から試運転が終了したことを受信する。表示器（57）は、試運転が終了したことを表示して作業者にそのことを報知する。表示器（57）としては、例えばスマートフォン等の端末や制御器（50）に設けられるモニタ等種々の表示装置が挙げられる。
【００５９】
−運転動作−
〈試運転〉
エアハンドリングユニット（1）が機械室（4）に設置された後、流出口（17）から吹き出す空気の流量を調節するための試運転が行われる。試運転では、各吹出口（9a〜9h）の吹出風量がそれぞれの設定値となるように、作業者が分配調整ダンパ（6a,6b）及び風量調整ダンパ（8a〜8h）の開度を調整する。ファンモータ（27）の回転速度が一定の状態で分配調整ダンパ（6a,6b）及び風量調整ダンパ（8a〜8h）の開度を変更すると、吹出ダクト（2）内での風の抵抗が変わり、エアハンドリングユニット（1）の吹出風量が変化し、その結果、通風部材（20）の前後の差圧が変化する。そこで、制御器（50）は、試運転において、通風部材（20）の前後の差圧が所定の目標範囲となるようにファンモータ（27）の回転速度を制御する。
【００６０】
具体的に、試運転では、制御器（50）は、ファンモータ（27）の回転速度を、差圧計測器（53）の計測値が通風部材（20）に応じて予め定められた設定差圧となるようにインバータ（55）を介して調整する。言い換えると、制御器（50）は、通風部材（20）としてのエアフィルタ（21）の前後の差圧に基づいてファンモータ（27）の回転速度を調整する（回転速度調整工程）。差圧計測器（53）の計測値が設定差圧になったことを示す条件（例えば、差圧計測器（53）の計測値が所定の目標範囲に収まること）が成立すると試運転が正常に終了する。また、適したファンユニットが用いられていなかったこと等により、所定時間内に差圧計測器（53）の計測値を設定差圧に調節できなかった場合でも異常が発生しているとして試運転が終了する。制御器（50）は、試運転が終了した旨の信号を表示器（57）に送信して、表示器（57）は試運転が終了したことを表示する。制御器（50）は、試運転で調整されたファンモータ（27）の回転速度を記憶する。
【００６１】
〈通常運転〉
通常運転では、制御器（50）は、ファンモータ（27）が試運転で調整された速度で回転するように、ファンモータ（27）の回転速度を固定して運転させる。
【００６２】
〈エアフィルタ目詰まり時の制御〉
図３は、エアハンドリングユニット（1）において、エアフィルタ（21）が汚れた際の挙動を示すグラフである。図３中の特性曲線Ｄ１は、エアフィルタ（21）が新品であるときの、流出口（17）から吹き出る風量（Q）と差圧計測器（53）の計測値との関係を示す。図３中の特性曲線Ｄ２は、エアフィルタ（21）に異物が付着しているときの流出口（17）から吹き出る風量（Q）と差圧計測器（53）の計測値との関係を示す。図３中の曲線Ｎ１は、試運転で差圧計測器（53）の計測値が設定差圧（図３中の符号Ｐ１）となるように、調整されたファンモータ（27）の回転速度を示す。図３中の曲線Ｎ２は、エアフィルタ（21）に異物が付着しているときに、流出口（17）から吹き出る風量がＱ１になるファンモータ（27）の回転速度を示す。
【００６３】
例えば、試運転が正常に終了した直後の通常運転では、制御器（50）は、差圧計測器（53）の計測値が設定差圧となるように、ファンモータ（27）の回転速度を試運転で調整された図３中の符号Ｎ１として運転する。このとき、流出口（17）から吹き出る風量は、図３中の符号Ｑ１になる。
【００６４】
通常運転の運転時間が経過するにつれて、エアフィルタ（21）に異物が付着する。このため、流出口（17）から吹き出る風量は、図３中の符号Ｑ２に下がる。この結果、差圧計測器（53）の計測値が、設定差圧よりも大きくなり図３中のＰ２になる。すなわち、図中のａ点からｂ点に移行する。制御器（50）は、差圧計測器（53）の計測値（図３中のＰ２）と設定差圧（図３中のＰ１）との差に応じてファンモータ（27）の回転速度を図３中のＮ１からＮ２に引き上げる。このとき、差圧計測器（53）の計測値と設定差圧との差が大きいほどファンモータ（27）の回転速度を上げる。このことにより、風量（Q）と差圧（P）との関係は、図３中のｂ点からｃ点に移行して、流出口（17）から吹き出る風量は、図３中の符号Ｑ１に戻る。そうすることにより、エアフィルタ（21）に異物が付着しても、流出口（17）から吹き出る風量が減少することを抑制できる。
【００６５】
上述したように、作業者は、異物を捕集したエアフィルタ（21）を新しいエアフィルタ（21）に交換したとき、リセットスイッチ（41）を押す。制御器（50）は、上述のリセット信号を受けると、ファンモータ（27）の回転速度を通常運転が開始したときの回転速度（図３中の符号Ｎ１）に戻す。そうすることにより、エアフィルタ（21）を交換した後に、流出口（17）から吹き出る風量が多くなりすぎることを抑制できる。
【００６６】
〈分配調整ダンパ全閉時の制御〉
図４は、エアハンドリングユニット（1）において、分配調整ダンパ（6a,6b）のうち例えば第１分配調整ダンパ（6a）が全閉したときの挙動を示すグラフである。図４中の特性曲線Ｄは、流出口（17）から吹き出る風量（Q）と差圧計測器（53）の計測値との関係を示す。図４中の特性曲線Ｒ１は、第１分配調整ダンパ（6a）及び第２分配調整ダンパ（6b）が開かれた状態で、試運転が正常に終了したときまたはエアフィルタ（21）に異物が付着してファンモータ（27）の回転速度が引き上げられたときの、流出口（17）から吹き出る風量（Q）と空気流路での風の抵抗と吹出ダクト（2）での風の抵抗との合計（全体抵抗）との関係を示す。図４中の特性曲線Ｒ２は、特性曲線Ｒ１の状態から第１分配調整ダンパ（6a）が全閉したときの流出口（17）から吹き出る風量（Q）と全体抵抗との関係を示す。図４中の曲線Ｎ１は、試運転で差圧計測器（53）の計測値が設定差圧（図４中の符号Ｐ１）となるように、調整されたファンモータ（27）の回転速度を示す。図４中の曲線Ｎ２は、第１分配調整ダンパ（6a）が全閉したときに、流出口（17）から吹き出る風量がＱ３になるファンモータ（27）の回転速度を示す。
【００６７】
通常運転時に、制御器（50）は、差圧計測器（53）の計測値が設定差圧（図４中の符号Ｐ１）となるように、ファンモータ（27）の回転速度を、試運転で調整された、またはエアフィルタ（21）に異物が付着して調節された図４中の符号Ｎ１として運転する。このとき、全体抵抗は、図４中の符号ａ’になる。
【００６８】
例えば、第１居室（7a）が使用されなくなったとき等に、第１分配調整ダンパ（6a）が全閉されると、吹出ダクト（2）内での風の抵抗が短時間で増大する。吹出ダクト（2）内での風の抵抗が増大すると、流出口（17）から吹き出る風量がＱ１からＱ２に減少して、差圧計測器（53）での計測値がＰ１からＰ２に低下する（図４中の符号ｂ点に移動する）。そして、全体抵抗は、短時間でａ’からｂ’に上昇する。
【００６９】
制御器（50）は、差圧計測器（53）の計測値が第１所定時間として１０秒以内でＰ１とＰ２との差に相当する値（第１所定値）以上低下したことを検知して、ファンモータ（27）の回転速度を図４中のＮ２（第１補正速度）に引き下げる。このことにより、流出口（17）から吹き出る風量がＱ２からＱ３に減少して、差圧計測器（53）での計測値がＰ２からＰ３に低下する（図４中の符号ｃ点に移動する）。そして、全体抵抗は、ｂ’からｃ’に低下する。このことにより、第２吹出ダクト（2b）を流れる空気の流量が増大して、第２居室（7b）への送風が過剰になることを抑制できる。
【００７０】
また、全閉された第１分配調整ダンパ（6a）が元の開度に戻されると、吹出ダクト（2）内での風の抵抗が短時間で減少する。吹出ダクト（2）内での風の抵抗が減少すると、流出口（17）から吹き出る風量がＱ３からＱ４に増加して、差圧計測器（53）での計測値がＰ３からＰ４に増加する（図４中の符号ｄ点に移動する）。そして、全体抵抗は、短時間でｃ’からｄ’に低下する。
【００７１】
制御器（50）は、ファンモータ（27）が、図４中のＮ２（第１補正速度）で回転しているときに、差圧計測器（53）の計測値が第２所定時間として１０秒以内でＰ３とＰ４との差に相当する値（第２所定値）以上上昇したことを検知して、ファンモータ（27）の回転速度を図４中のＮ１に上げる。このことにより、流出口（17）から吹き出る風量がＱ４からＱ１に増加して、差圧計測器（53）での計測値がＰ４からＰ１に上昇する（図４中の符号ｄ点に移動する）。そして、全体抵抗は、ｄ’からａ’に上昇する。このことにより、第２吹出ダクト（2b）を流れる空気の流量をもとに戻すことができる。
【００７２】
〈風量調整ダンパの開度上昇時の制御〉
図５は、エアハンドリングユニット（1）において、風量調整ダンパ（8a〜8h）のうち例えば第１風量調整ダンパ（8a）の開度が上昇したときの挙動を示すグラフである。図５中の特性曲線Ｄは、流出口（17）から吹き出る風量（Q）と差圧計測器（53）の計測値との関係を示す。図５中の特性曲線Ｒ１は、流出口（17）から吹き出る風量（Q）と各風量調整ダンパ（8a〜8h）が開かれた状態で試運転が正常に終了したとき、またはエアフィルタ（21）に異物が付着してファンモータ（27）の回転速度が引き上げられたときの全体抵抗との関係を示す。図５中の特性曲線Ｒ２は、特性曲線Ｒ１の状態から第１風量調整ダンパ（8a）の開度が上昇したときの、流出口（17）から吹き出る風量（Q）と全体抵抗との関係を示す。図５中の曲線Ｎ１は、試運転で差圧計測器（53）の計測値が設定差圧（図５中の符号Ｐ１）となるように調整されたファンモータ（27）の回転速度を示す。図５中の曲線Ｎ２は、第１風量調整ダンパ（8a）の開度が上昇したときに、流出口（17）から吹き出る風量をＱ１に戻すファンモータ（27）の回転速度を示す。
【００７３】
通常運転時に、制御器（50）は、差圧計測器（53）の計測値が設定差圧（図５中の符号Ｐ１）となるように、ファンモータ（27）の回転速度を、試運転で調整された、またはエアフィルタ（21）に異物が付着して調節された図５中の符号Ｎ１として運転する。このとき、全体抵抗は、図５中の符号ａ’になる。
【００７４】
例えば、第１居室（7a）への送風を増やすとき等に、第１風量調整ダンパ（8a）の開度が上げられると、吹出ダクト（2）内での風の抵抗が短時間で減少する。吹出ダクト（2）内での風の抵抗が減少すると、流出口（17）から吹き出る風量がＱ１からＱ２に増加して、差圧計測器（53）での計測値がＰ１からＰ２に上昇する（図５中の符号ｂ点に移動する）。そして、全体抵抗は、短時間でａ’からｂ’に低下する。
【００７５】
制御器（50）は、差圧計測器（53）の計測値が第３所定時間として１０秒以内でＰ１とＰ２との差に相当する値（第３所定値）以上上昇したことを検知して、ファンモータ（27）の回転速度を図５中のＮ２に引き下げる。このことにより、流出口（17）から吹き出る風量がＱ２からＱ１に減少して、差圧計測器（53）での計測値がＰ２からＰ１に低下する（図５中の符号ｃ点（ａ点と等しい）に移動する）。そして、全体抵抗は、ｂ’からｃ’に低下する。このことにより、流出口（17）から吹き出る風量が過剰になることを抑制できる。
【００７６】
〈風量調整ダンパの開度低下時の制御〉
図６は、エアハンドリングユニット（1）において、風量調整ダンパ（8a〜8h）のうち例えば第１風量調整ダンパ（8a）の開度が低下したときの挙動を示すグラフである。図６中の特性曲線Ｄは、流出口（17）から吹き出る風量（Q）と差圧計測器（53）との関係を示す。図６中の特性曲線Ｒ１は、各風量調整ダンパ（8a〜8h）が開かれた状態で試運転が正常に終了したときまたはエアフィルタ（21）に異物が付着してファンモータ（27）の回転速度が引き上げられたときの、流出口（17）から吹き出る風量（Q）と全体抵抗との関係を示す。図６中の特性曲線Ｒ２は、特性曲線Ｒ１の状態から第１風量調整ダンパ（8a）の開度が低下したときの、流出口（17）から吹き出る風量（Q）と全体抵抗との関係を示す。図６中の曲線Ｎ１は、試運転で差圧計測器（53）の計測値が設定差圧（図６中の符号Ｐ１）となるように調整されたファンモータ（27）の回転速度を示す。図６中の曲線Ｎ２は、第１風量調整ダンパ（8a）の開度が低下したときに、流出口（17）から吹き出る風量をＱ１に戻すファンモータ（27）の回転速度を示す。
【００７７】
通常運転時に、制御器（50）は、差圧計測器（53）の計測値が設定差圧（図６中の符号Ｐ１）となるように、ファンモータ（27）の回転速度を、試運転で調整された、またはエアフィルタ（21）に異物が付着して調節された図６中の符号Ｎ１として運転する。このとき、全体抵抗は、図６中の符号ａ’になる。
【００７８】
例えば、第１居室（7a）への送風を減らすとき等に、第１風量調整ダンパ（8a）の開度が下げられると、吹出ダクト（2）内での風の抵抗が短時間で増大する。吹出ダクト（2）内での風の抵抗が増大すると、流出口（17）から吹き出る風量がＱ１からＱ２に減少して、差圧計測器（53）での計測値がＰ１からＰ２に低下する（図６中の符号ｂ点に移動する）。そして、全体抵抗は、短時間でａ’からｂ’に上昇する。
【００７９】
制御器（50）は、差圧計測器（53）の計測値が第４所定時間として１０秒以内でＰ１とＰ２との差に相当する値（第４所定値）以上低下したことを検知して、ファンモータ（27）の回転速度を図６中のＮ２に引き上げる。なお、第４所定値は、上記第１所定値よりも小さい値である。このことにより、流出口（17）から吹き出る風量がＱ２からＱ１に増加して、差圧計測器（53）での計測値がＰ２からＰ１に上昇する（図６中の符号ｃ点（ａ点と等しい）に移動する）。そして、全体抵抗は、ｂ’からｃ’に上昇する。このことにより、流出口（17）から吹き出る風量が不足することを抑制できる。
【００８０】
−実施形態１の効果−
上述したように、試運転では、各吹出口（9a〜9h）の吹出風量がそれぞれの設定値となるように、作業者が分配調整ダンパ（6a,6b）及び風量調整ダンパ（8a〜8h）の開度を調整する。ファンモータ（27）の回転速度が一定の状態で分配調整ダンパ（6a,6b）及び風量調整ダンパ（8a〜8h）の開度を変更すると、エアハンドリングユニット（1）の吹出風量が変化し、その結果、通風部材（20）の前後の差圧が変化する。このため、従来、作業者は、試運転において、吹出ダクトに配置されたダンパの開度の調整と、ファンモータ（27）の回転速度の調整とを何度も繰り返す必要があり、試運転の工数が嵩んでいた。
【００８１】
本実施形態のエアハンドリングユニット（1）は、第１居室（7a）及び第２居室（7b）に形成された複数の吹出口（9a〜9h）に対して吹出ダクト（2）によって接続され、吹出口（9a〜9h）に送風するエアハンドリングユニット（1）であって、空気を取り入れる流入口（16）と吹出ダクト（2）が接続される流出口（17）とを有し、流入口（16）から流出口（17）に至る空気流路を形成するケーシング（10）と、ケーシング（10）内に配置され、空気流路において流入口（16）から流出口（17）へ空気を送るファンユニット（25）と、空気流路に配置され、空気を通過させる通風部材（20）と、通風部材（20）の前後の差圧を計測する差圧計測器（53）と、差圧計測器（53）の計測値に基づいてファンモータ（27）の回転速度を調節する制御器（50）とを備える。
【００８２】
本実施形態では、制御器（50）がファンモータ（27）の回転速度を調節するので、作業者は、試運転時には分配調整ダンパ（6a,6b）及び風量調整ダンパ（8a〜8h）の開度の調節だけを行えばよい。このため、試運転の工数を削減すると共に吹出風量の調整を容易にすることができる。
【００８３】
また、差圧計測器（53）は、ケーシング（10）内に配置された通風部材（20）の前後の差圧を計測する。このため、エアハンドリングユニット（1）の外側で、制御器（50）と差圧計測器（53）とを接続するための工事が不要になる。したがって、エアハンドリングユニット（1）の設置の際の工事の工数を抑制することができる。
【００８４】
また、本実施形態のエアハンドリングユニット（1）において、制御器（50）は、ファンモータ（27）の回転速度を、差圧計測器（53）の計測値が設定差圧となるように調整する試運転を行う。
【００８５】
本実施形態では、試運転で差圧計測器（53）の計測値に基づいてファンモータ（27）の回転速度を調整するので、試運転における風量の調節が容易になる。
【００８６】
また、本実施形態のエアハンドリングユニット（1）において、差圧計測器（53）の計測値が設定差圧になったことを示す条件が成立すると試運転が終了し、試運転が終了したことを報知する表示器（57）を備える。
【００８７】
本実施形態では、試運転が終了したことを作業者に報知することができる。このため、作業者の作業効率を向上できる。
【００８８】
また、本実施形態のエアハンドリングユニット（1）において、通風部材（20）は、空気を浄化するエアフィルタ（21）である。
【００８９】
本実施形態では、エアフィルタ（21）は通常エアハンドリングユニット（1）に設けられている。このため、通風部材（20）を構成するために別途特別な部材を用意して、取付工事を行う必要がなくなる。また、エアフィルタ（21）の汚れを検知するために用いられていた差圧計測器（53）を用いてファンモータ（27）の回転速度を調節することができる。
【００９０】
また、本実施形態のエアハンドリングユニット（1）において、通常運転時に、制御器（50）は、差圧計測器（53）の計測値が設定差圧よりも大きいとき、ファンモータ（27）の回転速度を上げる。
【００９１】
本実施形態では、エアフィルタ（21）に異物が付着してエアフィルタ（21）の前後の差圧が大きくなったときに、ファンモータ（27）の回転速度を上げることができる。このため、流出口（17）から吹き出る風量が不足することを抑制できる。
【００９２】
また、本実施形態のエアハンドリングユニット（1）において、制御器（50）は、リセット信号を受けると、ファンモータ（27）の回転速度を通常運転が開始したときの回転速度に戻す。
【００９３】
本実施形態では、作業者が異物を捕集したエアフィルタ（21）を新しいエアフィルタ（21）に交換したとき、リセットスイッチ（41）を押して制御器（50）にリセット信号を送信することで、回転速度が上げられたファンモータ（27）をもとの回転速度に戻すことができる。
【００９４】
また、本実施形態のエアハンドリングユニット（1）において、吹出ダクト（2）には、流量調整用の開度可変の分配調整ダンパ（6a,6b）が配置され、制御器（50）は、差圧計測器（53）の計測値が第１所定時間内で第１所定値以上低下したとき、ファンモータ（27）の回転速度を第１補正速度に引き下げる。
【００９５】
本実施形態では、第１分配調整ダンパ（6a）が全閉したとき、吹出ダクト（2）内での風の抵抗が短時間で増大する。吹出ダクト（2）内での風の抵抗が増大すると、流出口（17）から吹き出る風量が減少して、差圧計測器（53）での計測値が短時間で低下する。また、第１分配調整ダンパ（6a）が全閉しているので、第２吹出ダクト（2b）を流れる空気の流量が増える。このため、本実施形態によれば、第２居室（7b）への送風が過剰になることを抑制できる。
【００９６】
また、本実施形態のエアハンドリングユニット（1）において、制御器（50）は、ファンモータ（27）が第１補正速度で回転し且つ差圧計測器（53）の計測値が第２所定時間内で第２所定値以上上昇したとき、ファンモータ（27）の回転速度を上げる。
【００９７】
本実施形態では、ファンモータ（27）が第１補正速度で回転しているときに、全閉された第１分配調整ダンパ（6a）が元の開度に戻されると、吹出ダクト（2）内での風の抵抗が短時間で減少する。吹出ダクト（2）内での風の抵抗が減少すると、流出口（17）から吹き出る風量が増加して、差圧計測器（53）での計測値が短時間で上昇する。このため、本実施形態によれば、第１補正速度に引き下げられたファンモータ（27）の回転速度をもとの回転速度に戻すことができる。
【００９８】
また、本実施形態のエアハンドリングユニット（1）において、吹出ダクト（2）には、流量調整用の開度可変の風量調整ダンパ（8a〜8h）が配置され、制御器（50）は、差圧計測器（53）の計測値が第３所定時間内で第３所定値以上上昇したとき、ファンモータ（27）の回転速度を下げる。
【００９９】
本実施形態では、第１風量調整ダンパ（8a）の開度が上げられると、吹出ダクト（2）内での風の抵抗が短時間で減少する。吹出ダクト（2）内での風の抵抗が減少すると、流出口（17）から吹き出る風量が増加して、差圧計測器（53）での計測値が短時間で上昇する。このため、本実施形態によれば、ファンモータ（27）の回転速度を下げて、流出口（17）から吹き出る風量が過剰になることを抑制できる。
【０１００】
また、本実施形態のエアハンドリングユニット（1）において、制御器（50）は、差圧計測器（53）の計測値が第４所定時間内で第４所定値以上低下したとき、ファンモータ（27）の回転速度を上げる。
【０１０１】
本実施形態では、第１風量調整ダンパ（8a）の開度が下げられると、吹出ダクト（2）内での風の抵抗が短時間で増大する。吹出ダクト（2）内での風の抵抗が増大すると、流出口（17）から吹き出る風量が減少して、差圧計測器（53）での計測値が短時間で低下する。このため、本実施形態によれば、流出口（17）から吹き出る風量が不足することを抑制できる。
【０１０２】
また、本実施形態のエアハンドリングユニット（1）において、空気流路に設けられて空気流の乱れを抑える整流部材（42a,42b）を備える。
【０１０３】
本実施形態では、空気流路を流れる空気流の乱れを抑えて、差圧計測器（53）の計測値の変動を抑制できる。
【０１０４】
また、本実施形態のエアハンドリングユニット（1）において、差圧計測器（53）の計測値から換算した風量を表示する表示器（57）を備える。
【０１０５】
本実施形態では、作業者が風量を容易に確認できる。
【０１０６】
《実施形態２》
実施形態２について説明する。本実施形態のエアハンドリングユニット（1）は、実施形態１のエアハンドリングユニット（1）において、差圧計測器（53）の差圧取出管（54a,54b）の位置を変更したものである。ここでは、本実施形態のエアハンドリングユニット（1）について、実施形態１のエアハンドリングユニット（1）と異なる点を説明する。
【０１０７】
図７に示すように、差圧計測器（53）は、熱交換器（22）の前後の差圧を計測する。上流側差圧取出管（54a）は、先端が熱交換器（22）の上流側に位置している。下流側差圧取出管（54b）は、先端が熱交換器（22）の下流側に位置している。したがって、本実施形態では、通風部材（20）は、熱交換器（22）となっている。
【０１０８】
−運転動作−
〈エアフィルタ目詰まり時の制御〉
図８は、本実施形態のエアハンドリングユニット（1）において、エアフィルタ（21）が汚れた際の挙動を示すグラフである。図８中の特性曲線Ｄ１は、流出口（17）から吹き出る風量（Q）と差圧計測器（53）の計測値との関係を示す。図８中の曲線Ｎ１及びＮ２は、ファンモータ（27）の回転速度を示す。
【０１０９】
例えば、試運転が正常に終了した直後の通常運転では、制御器（50）は、差圧計測器（53）の計測値が設定差圧（図８中のＰ１）となるように、ファンモータ（27）の回転速度を試運転で調整された速度で運転する。このとき、流出口（17）から吹き出る風量は、図８中の符号Ｑ１になる。
【０１１０】
通常運転の運転時間が経過するにつれて、エアフィルタ（21）に異物が付着する。このため、熱交換器（22）を通過する風量は、図８中の符号Ｑ２に下がる。この結果、差圧計測器（53）の計測値が、設定差圧よりも小さくなり図８中のＰ２になる。すなわち、図中のａ点からｂ点に移行する。制御器（50）は、差圧計測器（53）の計測値（図８中のＰ２）と設定差圧（図８中のＰ１）との差に応じてファンモータ（27）の回転速度を引き上げる。このとき、差圧計測器（53）の計測値と設定差圧との差が大きいほどファンモータ（27）の回転速度を上げる。このことにより、風量（Q）と差圧（P）との関係は、図８中のｂ点からa点に戻って、流出口（17）から吹き出る風量は、図８中の符号Ｑ１に戻る。そうすることにより、エアフィルタ（21）に異物が付着しても、流出口（17）から吹き出る風量が減少することを抑制できる。
【０１１１】
−実施形態２の効果−
本実施形態のエアハンドリングユニット（1）は、通風部材（20）は、空気の温度を調節する熱交換器（22）である。
【０１１２】
本実施形態では、熱交換器（22）は通常エアハンドリングユニット（1）に設けられている。このため、通風部材（20）を構成するために別途特別な部材を用意して、取付工事を行う必要がなくなる。
【０１１３】
また、本実施形態のエアハンドリングユニット（1）において、通常運転時に、制御器（50）は、差圧計測器（53）の計測値が設定差圧よりも小さいとき、ファンモータ（27）の回転速度を上げる。
【０１１４】
本実施形態では、エアフィルタ（21）に異物が付着して熱交換器（22）に流れる風量が減少したときに、ファンモータ（27）の回転速度を上げることができる。このため、流出口（17）から吹き出る風量が不足することを抑制できる。
【０１１５】
《実施形態３》
実施形態３について説明する。本実施形態のエアハンドリングユニット（1）は、上記実施形態のエアハンドリングユニット（1）において、差圧計測器（53）は試運転のときのみに設けられるものである。ここでは、本実施形態のエアハンドリングユニット（1）について、上記実施形態のエアハンドリングユニット（1）と異なる点を説明する。
【０１１６】
図９は、エアハンドリングユニット（1）の試運転時の構成を示す。本実施形態では、エアハンドリングユニット（1）が機械室（4）に設置された後、且つ試運転を行う前に、空気流路におけるエアフィルタ（21）と熱交換器（22）との間に通風部材（22）を設置する（通風部材設置工程）。通風部材（20）としては、空気を通過させる部材であればよく、例えば複数の貫通孔が空けられたパンチングボードが挙げられる。そして、差圧計測器（53）が、通風部材（20）の前後の差圧を計測可能に設置される。具体的に、上流側差圧取出管（54a）の先端が通風部材（20）の上流側に位置し、且つ下流側差圧取出管（54b）の先端が熱交換器（22）の下流側に位置するように設置される。
【０１１７】
試運転では、制御器（50）は、通風部材（20）の前後の差圧に基づいてファンモータ（27）の回転速度を調整する（回転速度調整工程）。そして、試運転が終了すると、通風部材（20）及び差圧計測器（53）をエアハンドリングユニット（1）から取り外す（通風部材取り外し工程）。すなわち、本実施形態では、エアハンドリングユニット（1）から差圧計測器（53）が取り外された状態で通常運転が行われる。
【０１１８】
−実施形態３の効果−
本実施形態のエアハンドリングユニット（1）のファンユニット（25）の回転速度調整方法は、回転速度調整工程の前に空気流路に通風部材（20）を設置する通風部材設置工程と、回転速度調整工程の後に通風部材（20）を取り外す通風部材取り外し工程とを備える。
【０１１９】
本実施形態では、通風部材（20）が必要な回転速度調整工程において通風部材（20）を設置して、回転速度調整工程の後に通風部材（20）を取り外すことができる。
【０１２０】
《その他の実施形態》
上記各実施形態については、以下のような構成としてもよい。
【０１２１】
上記各実施形態では、通常運転時に、制御器（50）は、差圧計測器（53）の計測値が第１所定時間内で第１所定値以上低下したとき、ファンモータ（27）の回転速度を第１補正速度に引き下げていた。しかし、この制御は、試運転で行われてもよい。
【０１２２】
上記各実施形態では、通常運転時に、制御器（50）は、差圧計測器（53）の計測値が第３所定時間内で第３所定値以上上昇したとき、ファンモータ（27）の回転速度を下げていた。しかし、この制御は、試運転で行われてもよい。
【０１２３】
上記各実施形態では、通常運転時に、制御器（50）は、差圧計測器（53）の計測値が第４所定時間内で第４所定値以上低下したとき、ファンモータ（27）の回転速度を上げていた。しかし、この制御は、試運転で行われてもよい。
【０１２４】
上記各実施形態では、整流部材（42a,42b）は、入口室（13）及び出口室（15）の両方に配置されていたが、整流部材（42）は、入口室（13）及び出口室（15）の一方に配置されてもよく、整流部材（42a,42b）は設けられなくてもよい。
【０１２５】
上記各実施形態では、試運転において、回転速度調整工程では、制御器（50）は、通風部材（20）の前後の差圧に基づいてインバータ（55）を介してファンモータ（27）の回転速度を調整していた。しかし、制御器（50）は、インバータ（55）と通信可能に構成されていなくてもよい。その場合、回転速度調整工程では、作業者は、表示器（57）に表示された風量を参照しながら、インバータ（55）を手動で調整する。
【０１２６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１２７】
以上説明したように、本開示は、空気調和装置および送風ファンの回転速度調整方法について有用である。
【符号の説明】
【０１２８】
1  エアハンドリングユニット（空気調和装置）
2  吹出ダクト（ダクト）
6a,6b  分配調整ダンパ（ダンパ）
7a  第１居室（空調対象空間）
7b  第２居室（空調対象空間）
8a〜8h  風量調整ダンパ（ダンパ）
9a〜9h  吹出口
10  ケーシング
16  流入口
17  流出口
20  通風部材
21  エアフィルタ
22  熱交換器
25  ファンユニット（送風ファン）
42a  入口側整流部材（整流部材）
42b  出口側整流部材（整流部材）
50  制御器
53  差圧計測器
57  表示器（報知部、表示部）
【手続補正２】
【補正対象書類名】特許請求の範囲
【補正対象項目名】全文
【補正方法】変更
【補正の内容】
【特許請求の範囲】
【請求項１】
空調対象空間（7a,7b）に形成された複数の吹出口（9a〜9h）に対してダクト（2）によって接続され、上記吹出口（9a〜9h）に送風する空気調和装置であって、
空気を取り入れる流入口（16）と上記ダクト（2）が接続される流出口（17）とを有し、上記流入口（16）から上記流出口（17）に至る空気流路を形成するケーシング（10）と、
上記ケーシング（10）内に配置され、上記空気流路において上記流入口（16）から上記流出口（17）へ空気を送る送風ファン（25）と、
上記空気流路に配置され、空気を通過させる通風部材（20）と、
上記通風部材（20）の前後の差圧を計測する差圧計測器（53）と、
上記差圧計測器（53）の計測値に基づいて上記送風ファン（25）の回転速度を調節する制御器（50）と、
上記空気流路に設けられて空気を浄化するエアフィルタ（21）とを備え、
上記通風部材（20）は、空気の温度を調節する熱交換器（22）であり、
通常運転時に、上記制御器（50）は、上記差圧計測器（53）の計測値が設定差圧よりも小さいとき、上記送風ファン（25）の回転速度を上げる
ことを特徴とする空気調和装置。
【請求項２】
請求項１において、
上記制御器（50）は、リセット信号を受けると、上記送風ファン（25）の回転速度を上記通常運転が開始したときの回転速度に戻す
ことを特徴とする空気調和装置。
【請求項３】
空調対象空間（7a,7b）に形成された複数の吹出口（9a〜9h）に対してダクト（2）によって接続され、上記吹出口（9a〜9h）に送風する空気調和装置であって、
空気を取り入れる流入口（16）と上記ダクト（2）が接続される流出口（17）とを有し、上記流入口（16）から上記流出口（17）に至る空気流路を形成するケーシング（10）と、
上記ケーシング（10）内に配置され、上記空気流路において上記流入口（16）から上記流出口（17）へ空気を送る送風ファン（25）と、
上記空気流路に配置され、空気を通過させる通風部材（20）と、
上記通風部材（20）の前後の差圧を計測する差圧計測器（53）と、
上記差圧計測器（53）の計測値に基づいて上記送風ファン（25）の回転速度を調節する制御器（50）とを備え、
上記通風部材（20）は、空気を浄化するエアフィルタ（21）であり、
通常運転時に、上記制御器（50）は、上記差圧計測器（53）の計測値が設定差圧よりも大きいとき、上記送風ファン（25）の回転速度を上げ、
上記制御器（50）は、リセット信号を受けると、上記送風ファン（25）の回転速度を上記通常運転が開始したときの回転速度に戻す
ことを特徴とする空気調和装置。
【請求項４】
空調対象空間（7a,7b）に形成された複数の吹出口（9a〜9h）に対してダクト（2）によって接続され、上記吹出口（9a〜9h）に送風する空気調和装置であって、
空気を取り入れる流入口（16）と上記ダクト（2）が接続される流出口（17）とを有し、上記流入口（16）から上記流出口（17）に至る空気流路を形成するケーシング（10）と、
上記ケーシング（10）内に配置され、上記空気流路において上記流入口（16）から上記流出口（17）へ空気を送る送風ファン（25）と、
上記空気流路に配置され、空気を通過させる通風部材（20）と、
上記通風部材（20）の前後の差圧を計測する差圧計測器（53）と、
上記差圧計測器（53）の計測値に基づいて上記送風ファン（25）の回転速度を調節する制御器（50）とを備え、
上記ダクト（2）には、流量調整用の開度可変のダンパ（6a,6b）が配置され、
上記制御器（50）は、上記差圧計測器（53）の計測値が第１所定時間内で第１所定値以上低下したとき、上記送風ファン（25）の回転速度を第１補正速度に引き下げる
ことを特徴とする空気調和装置。
【請求項５】
請求項４において、
上記制御器（50）は、上記送風ファン（25）が上記第１補正速度で回転し且つ上記差圧計測器（53）の計測値が第２所定時間内で第２所定値以上上昇したとき、上記送風ファン（25）の回転速度を上げる
ことを特徴とする空気調和装置。
【請求項６】
空調対象空間（7a,7b）に形成された複数の吹出口（9a〜9h）に対してダクト（2）によって接続され、上記吹出口（9a〜9h）に送風する空気調和装置であって、
空気を取り入れる流入口（16）と上記ダクト（2）が接続される流出口（17）とを有し、上記流入口（16）から上記流出口（17）に至る空気流路を形成するケーシング（10）と、
上記ケーシング（10）内に配置され、上記空気流路において上記流入口（16）から上記流出口（17）へ空気を送る送風ファン（25）と、
上記空気流路に配置され、空気を通過させる通風部材（20）と、
上記通風部材（20）の前後の差圧を計測する差圧計測器（53）と、
上記差圧計測器（53）の計測値に基づいて上記送風ファン（25）の回転速度を調節する制御器（50）とを備え、
上記ダクト（2）には、流量調整用の開度可変のダンパ（8a〜8h）が配置され、
上記制御器（50）は、上記差圧計測器（53）の計測値が第３所定時間内で第３所定値以上上昇したとき、上記送風ファン（25）の回転速度を下げる
ことを特徴とする空気調和装置。
【請求項７】
空調対象空間（7a,7b）に形成された複数の吹出口（9a〜9h）に対してダクト（2）によって接続され、上記吹出口（9a〜9h）に送風する空気調和装置であって、
空気を取り入れる流入口（16）と上記ダクト（2）が接続される流出口（17）とを有し、上記流入口（16）から上記流出口（17）に至る空気流路を形成するケーシング（10）と、
上記ケーシング（10）内に配置され、上記空気流路において上記流入口（16）から上記流出口（17）へ空気を送る送風ファン（25）と、
上記空気流路に配置され、空気を通過させる通風部材（20）と、
上記通風部材（20）の前後の差圧を計測する差圧計測器（53）と、
上記差圧計測器（53）の計測値に基づいて上記送風ファン（25）の回転速度を調節する制御器（50）とを備え、
上記ダクト（2）には、流量調整用の開度可変のダンパ（8a〜8h）が配置され、
上記制御器（50）は、上記差圧計測器（53）の計測値が第４所定時間内で第４所定値以上低下したとき、上記送風ファン（25）の回転速度を上げる
ことを特徴とする空気調和装置。
【請求項８】
請求項１乃至７のいずれか一つにおいて、
上記制御器（50）は、上記送風ファン（25）の回転速度を、上記差圧計測器（53）の計測値が設定差圧となるように調整する試運転を行う
ことを特徴とする空気調和装置。
【請求項９】
請求項８において、
上記差圧計測器（53）の計測値が上記設定差圧になったことを示す条件が成立すると上記試運転が終了し、
上記試運転が終了したことを報知する報知部（57）を備える
ことを特徴とする空気調和装置。
【請求項１０】
請求項１乃至９の何れか１つにおいて、
上記空気流路に設けられて空気流の乱れを抑える整流部材（42a,42b）を備える
ことを特徴とする空気調和装置。
【請求項１１】
請求項１乃至１０の何れか１つにおいて、
上記差圧計測器（53）の計測値から換算した風量を表示する表示部（57）を備える
ことを特徴とする空気調和装置。
【請求項１２】
空気の流入口（16）と流出口（17）とが形成されたケーシング（10）と、上記ケーシング（10）の内部に配置され、上記流入口（16）から上記流出口（17）に至る空気流路において上記流入口（16）から上記流出口（17）へ空気を送る送風ファン（25）とを備える空気調和装置（1）の送風ファンの回転速度調整方法であって、
上記空気流路に配置された通風部材（20）の前後の差圧に基づいて上記送風ファン（25）の回転速度を調整する回転速度調整工程と、
上記回転速度調整工程の前に上記空気流路に上記通風部材（20）を設置する通風部材設置工程と、
上記回転速度調整工程の後に上記通風部材（20）を取り外す通風部材取り外し工程とを備える
ことを特徴とする送風ファンの回転速度調整方法。